(57)【要約】  本発明は、結腸直腸腺腫細胞及び腺癌細胞における遺伝子の発現差異、並びに、染色体異常とのその相互関係に関する。本発明は、腺癌細胞への腺腫の進行に結びつけられる染色体異常を検出するためのツールを提供する。本発明は、結腸直腸腫瘍をｉｎ  ｖｉｖｏ及びｉｎ  ｖｉｔｒｏで診断するための方法及びツールを開示する。【特許請求の範囲】
【請求項１】
患者における結腸直腸腺癌細胞の存在を検出するためのｉｎ  ｖｉｔｒｏでの方法であって、
（ａ）少なくとも、表８、９、又は１６に記載のマーカー遺伝子、ＮＭ＿０１７４９５及びＮＭ＿００６６０２の発現レベルを前記患者の検査試料において検出するステップ、並びに、
（ｂ）ステップ（ａ）で使用された前記マーカー遺伝子の発現レベルを対照試料の発現レベルに比較するステップを含み、
前記対照試料に比較された前記検査試料における前記少なくとも２つのマーカー遺伝子の増加した発現レベルは、前記患者における結腸直腸腺癌細胞の存在を示している、方法。
【請求項２】
（ａ）少なくとも、表８、９、又は１６に記載のマーカー遺伝子、ＮＭ＿０１７４９５、ＮＭ＿００６６０２、ＮＭ＿０１８８４０、ＮＭ＿００３６００、ＮＭ＿０１８２７０、ＮＭ＿００７００２、及び、ＮＭ＿０１６３９７の発現レベルを前記患者の検査試料において検出するステップ、並びに、
（ｂ）ステップ（ａ）で使用された前記マーカー遺伝子の発現レベルを対照試料の発現レベルに比較するステップを含み、
前記対照試料に比較された前記検査試料における前記少なくとも７つのマーカー遺伝子の増加した発現レベルは、前記患者における結腸直腸腺癌細胞の存在を示している、請求項１に記載のｉｎ  ｖｉｔｒｏでの方法。
【請求項３】
患者における結腸直腸腺癌細胞の存在を検出するためのｉｎ  ｖｉｔｒｏでの方法であって、
（ａ）表１に列挙された群から選択された少なくとも１２個のマーカー遺伝子の発現レベルを前記患者の検査試料において検出するステップ、及び、
（ｂ）ステップ（ａ）で使用された前記マーカー遺伝子の発現レベルを対照試料の発現レベルに比較するステップを含み、
前記対照試料に比較された前記検査試料における前記少なくとも１２個のマーカー遺伝子の増加又は減少した発現レベルは、前記患者における結腸直腸腺癌細胞の存在を示している、方法。
【請求項４】
患者における結腸直腸腺癌細胞の存在を検出するためのｉｎ  ｖｉｔｒｏでの方法であって、
（ａ）表１７に列挙された群から選択された１又は複数のマーカー遺伝子の発現レベルを前記患者の検査試料において検出するステップ、及び、
（ｂ）ステップ（ａ）で使用された前記少なくとも１つのマーカー遺伝子の発現レベルを対照試料の発現レベルに比較するステップを含み、
前記対照試料に比較された前記検査試料における前記１又は複数のマーカー遺伝子の増加又は減少した発現レベルは、前記患者における結腸直腸腺癌細胞の存在を示している、方法。
【請求項５】
患者における結腸直腸腺癌細胞の存在を検出するためのｉｎ  ｖｉｔｒｏでの方法であって、
（ａ）染色体異常の存在によって発現が変化する１又は複数のマーカー遺伝子の発現レベルを前記患者の検査試料において検出するステップであり、前記１又は複数のマーカー遺伝子が、
表２に記述された、染色体８ｐでの染色体消失によって発現レベルが変化するマーカー遺伝子の群から選択される２つ以上のマーカー遺伝子、
表３に記述された、染色体８ｑでの染色体増加によって発現レベルが変化するマーカー遺伝子の群から選択される１又は複数のマーカー遺伝子、
表４に記述された、染色体１３ｑでの染色体増加によって発現レベルが変化するマーカー遺伝子の群から選択される３つ以上のマーカー遺伝子、
表５に記述された、染色体１５ｑでの染色体消失によって発現レベルが変化するマーカー遺伝子の群から選択される１又は複数のマーカー遺伝子、
表６に記述された、染色体１７ｐでの染色体消失によって発現レベルが変化するマーカー遺伝子の群から選択される１又は複数のマーカー遺伝子、
表７に記述された、染色体１８ｑでの染色体消失によって発現レベルが変化するマーカー遺伝子の群から選択される３つ以上のマーカー遺伝子、
表８に記述された、染色体２０ｑでの染色体増加によって発現レベルが変化するマーカー遺伝子の群から選択される９つ以上のマーカー遺伝子、及び／又は
表９に記述された、染色体２０ｑでの染色体増加によって発現レベルが変化するマーカー遺伝子の群から選択される２つ以上のマーカー遺伝子を含む、ステップ、並びに
（ｂ）ステップ（ａ）で使用された前記１又は複数のマーカー遺伝子の発現レベルを１又は複数の対照試料の発現レベルに比較するステップを含み、
前記対照試料に比較された前記検査試料における前記１又は複数のマーカー遺伝子の増加又は減少した発現レベルは、前記患者における結腸直腸腺癌細胞の存在を示している、方法。
【請求項６】
患者における結腸直腸腺癌細胞の存在を検出するためのｉｎ  ｖｉｔｒｏでの方法であって、
（ａ）染色体異常の存在によって発現が変化する複数のマーカー遺伝子の発現レベルを前記患者の検査試料において検出するステップであり、前記複数のマーカー遺伝子が、
表２に記述されたマーカー遺伝子の群から選択される、染色体８ｐでの染色体消失によって発現レベルが変化する少なくとも１つのマーカー遺伝子、
表３に記述されたマーカー遺伝子の群から選択される、染色体８ｑでの染色体増加によって発現レベルが変化する少なくとも１つのマーカー遺伝子、
表４に記述されたマーカー遺伝子の群から選択される、染色体１３ｑでの染色体増加によって発現レベルが変化する少なくとも１つのマーカー遺伝子、
表５に記述されたマーカー遺伝子の群から選択される、染色体１５ｑでの染色体消失によって発現レベルが変化する少なくとも１つのマーカー遺伝子、
表６に記述されたマーカー遺伝子の群から選択される、染色体１７ｐでの染色体消失によって発現レベルが変化する少なくとも１つのマーカー遺伝子、
表７に記述されたマーカー遺伝子の群から選択される、染色体１８ｑでの染色体消失によって発現レベルが変化する少なくとも１つのマーカー遺伝子、及び
表８又は表９に記述されたマーカー遺伝子の群から選択される、染色体２０ｑでの染色体増加によって発現レベルが変化する少なくとも１つのマーカー遺伝子を含む、ステップ、並びに、
（ｂ）ステップ（ａ）で使用された前記マーカー遺伝子の発現レベルを対照試料の発現レベルに比較するステップを含み、
前記対照試料に比較された前記検査試料における前記複数のマーカー遺伝子の増加又は減少した発現レベルは、前記患者における結腸直腸腺癌細胞の存在を示している、方法。
【請求項７】
前記マーカー遺伝子が、表１乃至９によると、０．０５未満のｐ値又はＦＤＲ値を有する、請求項３乃至６のいずれか一項に記載の方法。
【請求項８】
前記マーカー遺伝子が、表１乃至９によると、０．０１未満のｐ値又はＦＤＲ値を有する、請求項３乃至６のいずれか一項に記載の方法。
【請求項９】
前記マーカー遺伝子が、表２乃至９によると、腺腫細胞と腺癌細胞との間に少なくとも「２」という発現レベルの差を有する、請求項３乃至８のいずれか一項に記載の方法。
【請求項１０】
前記マーカー遺伝子が、表２乃至９によると、腺腫細胞と腺癌細胞との間に少なくとも「４」という発現レベルの差を有する、請求項３乃至８のいずれか一項に記載の方法。
【請求項１１】
染色体８ｐでの染色体消失によって発現レベルが変化する前記マーカー遺伝子が、表１０に記述された、ＮＭ＿０２０７４９、ＮＭ＿００４３１５、ＮＭ＿００３７４７、ＮＭ＿０１６３５３、ＮＭ＿１５２４１５、ＮＭ＿００６１９７、ＮＭ＿０００６６２、ＮＭ＿００００１５、Ｄ３１８８７、ＮＭ＿０１７８８４、ＮＭ＿００４４６２、ＮＭ＿００６７６５、ＮＭ＿００１７１５、ＮＭ＿０１２３３１、ＮＭ＿１３９１６７、ＮＭ＿０１３３５４、及び、ＮＭ＿００５１４４からなるマーカー遺伝子の群から選択される、請求項５又は６に記載の方法。
【請求項１２】
染色体８ｑでの染色体増加によって発現レベルが変化する前記マーカー遺伝子が、表１１に記述された、ＮＭ＿１３８４５５、ＮＭ＿０３２６１１、ＮＭ＿０３２８６２、ＡＬ７１３７９０、ＢＣ０３０５２０、ＮＭ＿０２４０３５、ＮＭ＿０１７７６７、ＮＭ＿００２３４６、ＡＦ２８９５９６、ＮＭ＿０１２１６２、及び、ＡＢ０５１４７５からなるマーカー遺伝子の群から選択される、請求項５又は６に記載の方法。
【請求項１３】
染色体１３ｑでの染色体増加によって発現レベルが変化する前記マーカー遺伝子が、表１２に記述された、ＮＭ＿１４５２９３、ＮＭ＿００５３５８、Ｕ５０５３１、ＮＭ＿０１２１５８、ＮＭ＿０１７８１７、ＮＭ＿００３８９９、ＮＭ＿００３９０３、ＮＭ＿０１８３８６、ＢＣ００８９７５、ＮＭ＿０２３０１１、ＮＭ＿００１２６０、ＮＭ＿００６６４６、Ｕ５０５２４、ＮＭ＿０３３１１１、ＮＭ＿０２４８０８、ＮＭ＿０１４８３２、ＮＭ＿００６００２、ＮＭ＿０１５０５７、ＮＭ＿０２４５４６、ＢＣ０２６１２６、ＮＭ＿００６４９３、ＮＭ＿０１８２１０、及び、ＮＭ＿０１７６６４からなるマーカー遺伝子の群から選択される、請求項５又は６に記載の方法。
【請求項１４】
染色体１５ｑでの染色体消失によって発現レベルが変化する前記マーカー遺伝子が、表１３に記述された、ＮＭ＿０３０５７４、ＮＭ＿００４２５５、ＮＭ＿００２５７３、ＡＢ０３３０２５、ＮＭ＿０３３２４０、ＮＭ＿０００１２６、ＮＭ＿０１５０７９、ＮＭ＿０１５９６９、及び、ＮＭ＿０１６０７３からなるマーカー遺伝子の群から選択される、請求項５又は６に記載の方法。
【請求項１５】
染色体１７ｐでの染色体消失によって発現レベルが変化する前記マーカー遺伝子が、表１４に記述された、ＮＭ＿１３０７６６、ＮＭ＿０１５７２１、及び、ＮＭ＿０３１４３０からなるマーカー遺伝子の群から選択される、請求項５又は６に記載の方法。
【請求項１６】
染色体１８ｑでの染色体消失によって発現レベルが変化する前記マーカー遺伝子が、表１５に記述された、ＮＭ＿００４７１５、ＮＭ＿００６７０１、及び、ＮＭ＿０１４９１３からなるマーカー遺伝子の群から選択される、請求項５又は６に記載の方法。
【請求項１７】
染色体２０ｑでの染色体増加によって発現レベルが変化する前記マーカー遺伝子が、表１６に記述された、ＮＭ＿０１６３９７、ＮＭ＿０１８２７０、ＮＭ＿００６６０２、ＮＭ＿０８０４７６、ＮＭ＿０１７８９６、ＮＭ＿００６０９７、ＮＭ＿０２１８０９、ＮＭ＿０１８８４０、ＮＭ＿００３６００、ＮＭ＿０１７４９５、ＮＭ＿００７００２、ＮＭ＿０１６３５４、ＮＭ＿０１４０７１、ＮＭ＿００２２１２、ＮＭ＿００３１８５、ＮＭ＿１５２２５５、ＮＭ＿０２２０８２、ＮＭ＿０１８２４４、ＮＭ＿０１４９０２、ＮＭ＿０３２０１３、ＮＭ＿０２０１８２、ＮＭ＿００６８８６、ＮＭ＿０２０６７３、ＢＣ００３１２２、ＮＭ＿０１２３２５、ＮＭ＿０１４１８３、ＮＭ＿０２１１００、ＮＭ＿００４７３８、ＮＭ＿０１６０４５、ＮＭ＿０１４０５４、ＮＭ＿０２２１０５、ＮＭ＿０１５６６６、ＮＭ＿０３２５２７、ＢＣ０２５３４５、ＮＭ＿０３３４０５、ＮＭ＿００６８９２、ＮＭ＿００５２２５、ＮＭ＿０００６８７、ＢＣ０３５６３９、ＮＭ＿０１８６７７、ＮＭ＿００６０４７、ＮＭ＿０１６４３６、ＮＭ＿０１５５１１、ＮＭ＿０１６０８２、ＮＭ＿００７２３８、ＮＭ＿００３９０８、ＮＭ＿００３６１０、ＮＭ＿１５３３６０、ＮＭ＿０８０４２５、ＮＭ＿０００１１４、ＮＭ＿００１８５３、ＮＭ＿１４４４９８、ＮＭ＿０１７７９８、及び、ＮＭ＿０１２３８４からなるマーカー遺伝子の群から選択される、請求項５又は６に記載の方法。
【請求項１８】
染色体２０ｑでの染色体増加によって発現レベルが変化する前記マーカー遺伝子が、表１６に記述された、ＮＭ＿０１６３９７、ＮＭ＿０１８２７０、ＮＭ＿００６６０２、ＮＭ＿０８０４７６、ＮＭ＿０１７８９６、ＮＭ＿００６０９７、ＮＭ＿０２１８０９、ＮＭ＿０１８８４０、ＮＭ＿００３６００、ＮＭ＿０１７４９５、ＮＭ＿００７００２、ＮＭ＿０１６３５４、ＮＭ＿０１４０７１、ＮＭ＿００２２１２、ＮＭ＿００３１８５、ＮＭ＿１５２２５５、ＮＭ＿０２２０８２、ＮＭ＿０１８２４４、ＮＭ＿０１４９０２、ＮＭ＿０３２０１３、ＮＭ＿０２０１８２、ＮＭ＿００６８８６、ＮＭ＿０２０６７３、ＢＣ００３１２２、ＮＭ＿０１２３２５、ＮＭ＿０１４１８３、ＮＭ＿０２１１００、ＮＭ＿００４７３８、ＮＭ＿０１６０４５、ＮＭ＿０１４０５４、ＮＭ＿０２２１０５、ＮＭ＿０１５６６６、ＮＭ＿０３２５２７、ＢＣ０２５３４５、及び、ＮＭ＿０３３４０５からなるマーカー遺伝子の群から選択される、請求項５又は６に記載の方法。
【請求項１９】
前記検査試料が、結腸直腸腺腫組織の生検組織又は切除組織である、請求項１乃至１８のいずれか一項に記載の方法。
【請求項２０】
前記検査試料が、尿、血液、唾液、汗、及び便の試料からなる群から選択される、請求項１乃至１８のいずれか一項に記載の方法。
【請求項２１】
前記対照試料が、結腸直腸腺腫細胞を含むが結腸直腸癌腫細胞を含まない、患者の同じ組織の試料である、請求項１乃至１９のいずれか一項に記載の方法。
【請求項２２】
前記発現レベルが、蛋白質レベルで決定される、請求項１乃至２１のいずれか一項に記載の方法。
【請求項２３】
前記発現レベルが、ＲＮＡレベルで決定される、請求項１乃至２１のいずれか一項に記載の方法。
【請求項２４】
使用される前記マーカー遺伝子は、腺腫細胞と比較して腺癌細胞において発現レベルが増加するマーカー遺伝子である、請求項１乃至２３のいずれか一項に記載の方法。
【請求項２５】
結腸直腸癌腫への結腸直腸腺腫の進行を診断するための、請求項１乃至２４のいずれか一項に記載の方法の使用。
【請求項２６】
結腸直腸腺癌細胞を検出するためのキットであって、表１に記述されたマーカー遺伝子のうち少なくとも１２個のマーカー遺伝子の発現を特異的に検出するための薬剤を含むキット。
【請求項２７】
結腸直腸腺癌細胞を検出するためのキットであって、表１７に記述されたマーカー遺伝子のうち少なくとも１つのマーカー遺伝子の発現を特異的に検出するための薬剤を含むキット。
【請求項２８】
１又は複数のマーカー遺伝子の発現を特異的に検出するための薬剤を含む、結腸直腸腺癌細胞を検出するためのキットであって、
表２に記述された群から選択された３つ以上のマーカー遺伝子を特異的に検出するための薬剤、
表３に記述された群から選択された１又は複数のマーカー遺伝子を特異的に検出するための薬剤、
表４に記述された群から選択された２つ以上のマーカー遺伝子を特異的に検出するための薬剤、
表５に記述された群から選択された１又は複数のマーカー遺伝子を特異的に検出するための薬剤、
表６に記述された群から選択された１又は複数のマーカー遺伝子を特異的に検出するための薬剤、
表７に記述された群から選択された３つ以上のマーカー遺伝子を特異的に検出するための薬剤、
表８に記述された群から選択された７つ以上のマーカー遺伝子を特異的に検出するための薬剤、及び／又は、
表９に記述された群から選択された７つ以上のマーカー遺伝子を特異的に検出するための薬剤を含むキット。
【請求項２９】
以下の、表２に記述されたマーカー遺伝子、表３に記述されたマーカー遺伝子、表４に記述されたマーカー遺伝子、表５に記述されたマーカー遺伝子、表６に記述されたマーカー遺伝子、表７に記述されたマーカー遺伝子、表８に記述されたマーカー遺伝子、及び、表９に記述されたマーカー遺伝子の群のそれぞれのうち少なくとも１つのマーカー遺伝子の発現を特異的に検出するための一組の薬剤を含む、結腸直腸腺癌細胞を検出するためのキット。
【請求項３０】
前記マーカー遺伝子が、表１乃至９によると、０．０５未満のｐ値又はＦＤＲ値を有する、請求項２６乃至２９のいずれか一項に記載のキット。
【請求項３１】
前記マーカー遺伝子が、表１乃至９によると、０．０１未満のｐ値又はＦＤＲ値を有する、請求項２６乃至２９のいずれか一項に記載のキット。
【請求項３２】
前記マーカー遺伝子が、表２乃至９、又は１７によると、腺腫細胞と腺癌細胞との間に少なくとも「２」という発現レベルの差を有する、請求項２７乃至３１のいずれか一項に記載のキット。
【請求項３３】
前記マーカー遺伝子が、表２乃至９、又は１７によると、腺腫細胞と腺癌細胞との間に少なくとも「４」という発現レベルの差を有する、請求項２７乃至３１のいずれか一項に記載のキット。
【請求項３４】
前記薬剤がオリゴヌクレオチド又は抗体である、請求項２６乃至３３のいずれか一項に記載のキット。
【請求項３５】
前記オリゴヌクレオチドが支持体上に配列される、請求項３４に記載のキット。
【請求項３６】
前記抗体が、分泌性蛋白質又は細胞表面上の蛋白質に結合する、請求項３４に記載のキット。
【請求項３７】
１又は複数の薬剤が、放射性ラベル、磁気ラベル、ＭＲＩ造影ラベル、発色団ラベル、及び、超音波ラベルから選択されたラベルで機能化される、請求項２６乃至３６のいずれか一項に記載のキット。
【請求項３８】
前記マーカー遺伝子は、腺腫細胞と比較して腺癌細胞において発現が増加する遺伝子である、請求項２６乃至３６のいずれか一項に記載のキット。
【請求項３９】
結腸直腸病変部における腺癌細胞を検出するためのｉｎ  ｖｉｖｏでの方法であって、
（ａ）表１７に記述された遺伝子から選択されたマーカー遺伝子によって発現した蛋白質と特異的に結合する又は相互作用する能力を持つラベルされた薬剤に前記結腸直腸病変部を接触させるステップ、及び、
（ｂ）前記結腸直腸病変部との前記薬剤の結合又は相互作用を検出するステップを含み、
前記結腸直腸病変部の位置内での前記薬剤の結合又は相互作用における差の検出が、前記病変部における腺癌細胞の存在を示している、方法。
【請求項４０】
前記マーカー遺伝子が、細胞膜に位置する蛋白質、分泌性蛋白質、又は酵素である、請求項３９に記載の方法。
【請求項４１】
結腸直腸腺腫組織における腺癌細胞の存在を検出するためのｉｎ  ｖｉｖｏでの診断器具として使用するための、表１７又は１８に記述されたマーカー遺伝子と特異的に結合又は相互作用する薬剤。
【請求項４２】
結腸直腸腫瘍組織内の腺癌細胞の存在を検出するための診断器具の製造における、表１７又は１８に記述されたマーカー遺伝子と特異的に結合又は相互作用する薬剤の使用。
【発明の詳細な説明】
【技術分野】
【０００１】
本発明は、腫瘍の診断方法に関し、特に、結腸直腸の腺腫及び腺癌の診断方法に関する。本発明は、さらに、これらの方法を実行するためのマーカー遺伝子、プローブ、及びアレイを提供する。
【背景技術】
【０００２】
消化管のうち結腸直腸部分の癌は、頻繁に生じる疾患である。第１ステージでは、悪性腫瘍（腺癌）に変わり得る良性腫瘍（腺腫）が生じる。全ての腺腫が癌腫まで進行するわけではない。実際、この癌腫への進行は、小さなサブセットの腫瘍においてのみ生じる。ゲノム不安定性の始まりは、きわめて重要なステップであり、結腸直腸癌において２つの方法で生じる（Ｌｅｎｇａｕｅｒ  ｅｔ  ａｌ．（１９９８）Ｎａｔｕｒｅ，３９６，６４３−６４９）。マイクロサテライト不安定性（ＭＳＩ又はＭＩＮと略される）を引き起こすＤＮＡミスマッチ修復の欠如は、最も広く研究されてきた（ｄｉ  Ｐｉｅｔｒｏ  ｅｔ  ａｌ．（２００５）Ｇａｓｔｒｏｅｎｔｅｒｏｌｏｇｙ，１２９，１０４７−１０５９）が、腺腫から癌腫への進行のうちの約１５％を説明しているのみである。結腸直腸腺腫が癌腫へと進行するケースのうち残りの８５％において、ゲノム不安定性は染色体レベルで生じ（ＣＩＮ）、異数性を引き起こしている。長い間、これらの染色体異常は、癌発生に二次的なものであるランダムノイズとしてみなされてきたが、今では、これらのＤＮＡコピー数の変化が特定のパターンで発生し、異なる臨床行動に関連付けられるということが良く確立されている（Ｈｅｒｍｓｅｎ  ｅｔ  ａｌ．（２００２）Ｇａｓｔｒｏｅｎｔｅｒｏｌｏｇｙ  １２３，１１０９−１１１９）。結腸直腸癌において頻繁に報告される染色体異常は、７ｐｑ、８ｑ、１３ｑ、２０ｑの増加、及び、４ｐｑ、５ｑ、８ｐ、１５ｑ、１７ｐ、１８ｑの消失である。８ｑ、１３ｑ、及び２０ｑの増加、並びに、８ｐ、１５ｑ、１７ｐ、及び１８ｑの消失が、癌腫への結腸直腸腺腫の進行に関連づけられるということが示された（上記のＨｅｒｍｓｅｎ  ｅｔ  ａｌ．（２００２））。染色体腕２０ｑの増加は、結腸直腸癌において観察される最も頻繁に生じる増加であり、６５％を超えるケースにおいて変化している（Ｍｅｉｊｅｒ  ｅｔ  ａｌ．（１９９８）Ｊ．Ｃｌｉｎ．Ｐａｔｈｏｌ．５１，９０１−９０９）。２０ｑ、特に、２０ｑ１２−ｑ１３の領域での増加は、他の種類の固形腫瘍においても一般的に描写され、胃癌においても結腸直腸癌においても乏しい成果に関連づけられてきた。
【０００３】
可能な限り初期のステージで上記の腺癌への腺腫の進行を同定することは最も臨床において重要なものであり、腺腫の不必要な外科的処置を避けると同時に、初期のステージでの癌腫の治療を可能にする。理論上、腺癌は、悪性細胞の存在がまだ古典的な顕微鏡分析によって検出可能ではないステージで同定することができる。
【０００４】
腺癌と比較して腺腫において異なる発現レベルを示す個々の遺伝子又は限定された遺伝子の組を種々の研究が言及しており、大部分が内在する染色体不安定性に関連づけることなく言及している（Ｈａｂｅｒｍａｎｎ  ｅｔ  ａｌ．（２００７）Ｇｅｎｅｓ  Ｃｈｒｏｍｏｓｏｍｅｓ  Ｃａｎｃｅｒ．４６，１０−２６，ＵＳ２００４０２５８７６１）。
【発明の概要】
【発明が解決しようとする課題】
【０００５】
本発明は、結腸直腸腺腫細胞の遺伝子の発現パターンと比較した場合に結腸直腸腺癌細胞における遺伝子の発現パターンにおいて有意な差異がある、及び、これらの差異は腺癌における染色体異常の発生に関連づけられるという観察に基づいている。従って、腺癌はその染色体異常に従って分類することができ、これらの染色体異常に対するマーカー遺伝子が同定されてきた。本願における分析で調査した多数の試料は、発生する染色体異常全てに対して一組のマーカー遺伝子を生じた。
【０００６】
本発明は、従って、癌診断のための方法及びツールに関し、より正確には、結腸及び／又は直腸における腺腫と癌腫との識別のための方法及びツールに関する。特に、本発明は、腺癌への腺腫の進行を検出することに関する。腺癌細胞の存在を、非常に初期のステージで、すなわち、超音波検査、放射線検査、又はＭＲＩ（磁気共鳴映像法）によってその存在が検出することができる前に検出できるようにすることが、本発明の方法の利点である。
【０００７】
本発明は、結腸直腸の腺癌への腺腫の進行が腺腫細胞における染色体増加又は消失の出現によって引き起こされる場合が多いという発見に基づいている。従って、本発明は、間接分析法による染色体増加又は消失の検出によって腺癌を検出する方法及びツールを提供する。
【課題を解決するための手段】
【０００８】
本発明によると、結腸直腸腺腫から腺癌への進行に関連づけられる染色体増加又は消失は、染色体増加又は消失に対する変化したマーカー遺伝子の発現レベルの検出によって間接的に検出される。発現が染色体増加又は消失に結びつけられるマーカー遺伝子は、２つの種類に分けることができる。第一の遺伝子の種類は、増加又は消失される染色体の領域に位置する遺伝子である。消失される染色体領域に位置する遺伝子は発現されないけれども、細胞における制御機構が、他の無傷な染色体上の対応する遺伝子の発現を上方制御することができる。期待され得ることとは対照的に、染色体増加の領域上に位置する全ての遺伝子が過剰発現するわけではない。従って、単なる染色体増加又は消失の領域内にある遺伝子の位置に関する知識だけでは、その遺伝子の発現が影響を受けたかどうか予測するのに十分ではなく、影響を受けていたとしても、どのようにして影響を受けたか予測するのには十分ではない。第二の遺伝子の種類は、それ自体は染色体増加又は消失の領域内には位置していないが、その発現が、染色体異常に位置する１又は複数の遺伝子によって影響を受ける遺伝子である。
【０００９】
本発明は、信頼できる試料内の腺癌細胞の存在の検出を可能にするマーカー遺伝子の組合せを提供する。
【００１０】
一態様において、本発明は、癌腫細胞への結腸直腸腺腫細胞の進行を検出するためのマーカー遺伝子としてこれまで同定されていないマーカー遺伝子を開示する（表１７）。
【００１１】
従って、本発明は、患者における結腸直腸腺癌細胞の存在を検出するためのｉｎ  ｖｉｔｒｏでの方法を提供し、当該方法は、（ａ）表１７に列挙された群から選択された１又は複数のマーカー遺伝子の発現レベルを前記患者の検査試料において検出するステップ、及び、（ｂ）ステップ（ａ）で使用された前記１又は複数のマーカー遺伝子の発現レベルを対照試料の発現レベルに比較するステップを含む。前記対照試料に比較された前記検査試料における前記マーカー遺伝子の増加又は減少した発現レベルは、前記患者における結腸直腸腺癌細胞の存在を示している。特定の実施形態によると、本発明の方法は、表１７に列挙された群から選択された１又は複数のマーカー遺伝子の発現レベルを検出するステップを含み、その結果、前記マーカー遺伝子は、その発現が、腺腫細胞と比較して腺癌細胞において上方制御される遺伝子である。
【００１２】
別の態様において、本発明は、悪性細胞への結腸直腸腺腫細胞の進行を確実に決定するために対応する数のマーカー遺伝子を使用することができるように、マーカー遺伝子の広範囲にわたるリストを提供する（表１）。
【００１３】
従って、本発明は、患者における結腸直腸腺癌細胞の存在を検出するためのｉｎ  ｖｉｔｒｏでの方法を提供し、当該方法は、（ａ）表１に列挙された群から選択された少なくとも１２個のマーカー遺伝子の発現レベルを前記患者の検査試料において検出するステップ、及び、（ｂ）ステップ（ａ）で使用された前記マーカー遺伝子の発現レベルを対照試料の発現レベルに比較するステップを含む。前記対照試料に比較された前記検査試料における前記マーカー遺伝子の増加又は減少した発現レベルは、前記患者における結腸直腸腺癌細胞の存在を示している。
【００１４】
さらに別の態様において、本発明は、結腸直腸腺腫細胞における特定種類の染色体異常の存在に発現レベルが関連づけられるマーカー遺伝子を開示している（表２乃至９）。
【００１５】
従って、本発明は、染色体異常の存在に発現が関連づけられるマーカー遺伝子の検出に基づいて、患者における結腸直腸腺癌細胞の存在を検出するためのｉｎ  ｖｉｔｒｏでの方法を提供する。より正確には、本発明のこの態様による方法は、（ａ）発現が染色体異常の存在に応じて変化する１又は複数のマーカー遺伝子の発現レベルを前記患者の検査試料において検出するステップ、及び、（ｂ）ステップ（ａ）で使用された前記１又は複数のマーカー遺伝子の発現レベルを１又は複数の対照試料の発現レベルに比較するステップを含む。前記対照試料に比較された前記検査試料における前記１又は複数のマーカー遺伝子の増加又は減少した発現レベルは、前記患者における結腸直腸腺癌細胞の存在を示している。
【００１６】
本発明のこの態様における特定の実施形態において、前記１又は複数のマーカー遺伝子は、
表２に記述された、染色体８ｐでの染色体消失によって発現レベルが変化するマーカー遺伝子の群から選択される２つ以上のマーカー遺伝子、
表３に記述された、染色体８ｑでの染色体増加によって発現レベルが変化するマーカー遺伝子の群から選択される１又は複数のマーカー遺伝子、
表４に記述された、染色体１３ｑでの染色体増加によって発現レベルが変化するマーカー遺伝子の群から選択される３つ以上のマーカー遺伝子、
表５に記述された、染色体１５ｑでの染色体消失によって発現レベルが変化するマーカー遺伝子の群から選択される１又は複数のマーカー遺伝子、
表６に記述された、染色体１７ｐでの染色体消失によって発現レベルが変化するマーカー遺伝子の群から選択される１又は複数のマーカー遺伝子、
表７に記述された、染色体１８ｑでの染色体消失によって発現レベルが変化するマーカー遺伝子の群から選択される３つ以上のマーカー遺伝子、
表８に記述された、染色体２０ｑでの染色体増加によって発現レベルが変化するマーカー遺伝子の群から選択される９つ以上のマーカー遺伝子、及び／又は
表９に記述された、染色体２０ｑでの染色体増加によって発現レベルが変化するマーカー遺伝子の群から選択される２つ以上のマーカー遺伝子、
を含む。
【００１７】
さらに別の態様において、本発明は、結腸直腸腺癌に結びつけられた種々の染色体異常に対応するマーカー遺伝子の組を開示している。これらの異常は、発生する全ての結腸直腸腺癌のうち少なくとも８５％において発生すると知られており、従って、腺癌の検出に対して信頼できるスクリーニングアッセイを表している。
【００１８】
従って、本発明は、患者における結腸直腸腺癌細胞の存在を検出するためのｉｎ  ｖｉｔｒｏでの方法を提供し、当該方法は、（ａ）結腸直腸腺癌に結びつけられる染色体異常の発生を表す複数のマーカー遺伝子の発現レベルを前記患者の検査試料において検出するステップ、及び、（ｂ）ステップ（ａ）で使用された前記複数のマーカー遺伝子の発現レベルを対照試料の発現レベルに比較するステップを含む。前記対照試料に比較された前記検査試料における前記複数のマーカー遺伝子の増加又は減少した発現レベルは、前記患者における結腸直腸腺癌細胞の存在を示している。特に、前記複数のマーカー遺伝子は、
表２に記述されたマーカー遺伝子の群から選択される、染色体８ｐでの染色体消失によって発現レベルが変化する少なくとも１つのマーカー遺伝子、
表３に記述されたマーカー遺伝子の群から選択される、染色体８ｑでの染色体増加によって発現レベルが変化する少なくとも１つのマーカー遺伝子、
表４に記述されたマーカー遺伝子の群から選択される、染色体１３ｑでの染色体増加によって発現レベルが変化する少なくとも１つのマーカー遺伝子、
表５に記述されたマーカー遺伝子の群から選択される、染色体１５ｑでの染色体消失によって発現レベルが変化する少なくとも１つのマーカー遺伝子、
表６に記述されたマーカー遺伝子の群から選択される、染色体１７ｐでの染色体消失によって発現レベルが変化する少なくとも１つのマーカー遺伝子、
表７に記述されたマーカー遺伝子の群から選択される、染色体１８ｑでの染色体消失によって発現レベルが変化する少なくとも１つのマーカー遺伝子、及び
表８又は表９に記述されたマーカー遺伝子の群から選択される、染色体２０ｑでの染色体増加によって発現レベルが変化する少なくとも１つのマーカー遺伝子、
を含む。
【００１９】
さらに別の態様において、本発明は、結腸直腸腺腫における特定の種類の染色体異常の存在に応じて発現レベルが変化し、その染色体異常内に位置するマーカー遺伝子を開示している（表１０−１６）。
【００２０】
従って、本発明は、患者における結腸直腸腺癌細胞の存在を検出するためのｉｎ  ｖｉｔｒｏでの方法を提供し、当該方法は、（ａ）結腸直腸腺癌に結びつけられる染色体異常の発生を表す複数のマーカー遺伝子の発現レベルを前記患者の検査試料において検出するステップ、及び、（ｂ）ステップ（ａ）で使用された前記複数のマーカー遺伝子の発現レベルを対照試料の発現レベルに比較するステップを含む。対照試料に比較された検査試料における前記複数のマーカーの増加又は減少した発現レベルは、患者における結腸直腸腺癌細胞の存在を示している。特に、前記複数のマーカー遺伝子は、
表１０に記述されたマーカー遺伝子の群から選択される、染色体８ｐでの染色体消失の領域内に位置する少なくとも１つのマーカー遺伝子、
表１１に記述されたマーカー遺伝子の群から選択される、染色体８ｑでの染色体増加の領域内に位置する少なくとも１つのマーカー遺伝子、
表１２に記述されたマーカー遺伝子の群から選択される、染色体１３ｑでの染色体増加の領域内に位置する少なくとも１つのマーカー遺伝子、
表１３に記述されたマーカー遺伝子の群から選択される、染色体１５ｑでの染色体消失の領域内に位置する少なくとも１つのマーカー遺伝子、
表１４に記述されたマーカー遺伝子の群から選択される、染色体１７ｐでの染色体消失の領域内に位置する少なくとも１つのマーカー遺伝子、
表１５に記述されたマーカー遺伝子の群から選択される、染色体１８ｑでの染色体消失の領域内に位置する少なくとも１つのマーカー遺伝子、及び
表１６に記述されたマーカー遺伝子の群から選択される、染色体２０ｑでの染色体増加の領域内に位置する少なくとも１つのマーカー遺伝子、
を含む。
【００２１】
上記の本発明の方法における特定の実施形態において、使用されるマーカー遺伝子は、
染色体８ｐでの染色体消失によって発現レベルが変化するか、若しくは、染色体８ｐでの染色体消失の領域内に位置する前記１又は複数のマーカー遺伝子が、表１０に記述された、ＮＭ＿０２０７４９、ＮＭ＿００４３１５、ＮＭ＿００３７４７、ＮＭ＿０１６３５３、ＮＭ＿１５２４１５、ＮＭ＿００６１９７、ＮＭ＿０００６６２、ＮＭ＿００００１５、Ｄ３１８８７、ＮＭ＿０１７８８４、ＮＭ＿００４４６２、ＮＭ＿００６７６５、ＮＭ＿００１７１５、ＮＭ＿０１２３３１、ＮＭ＿１３９１６７、ＮＭ＿０１３３５４、及び、ＮＭ＿００５１４４からなるマーカー遺伝子の群から選択されるように、
染色体８ｑでの染色体増加によって発現レベルが変化するか、若しくは、染色体８ｑでの染色体増加の領域内に位置する前記１又は複数のマーカー遺伝子が、表１１に記述された、ＮＭ＿１３８４５５、ＮＭ＿０３２６１１、ＮＭ＿０３２８６２、ＡＬ７１３７９０、ＢＣ０３０５２０、ＮＭ＿０２４０３５、ＮＭ＿０１７７６７、ＮＭ＿００２３４６、ＡＦ２８９５９６、ＮＭ＿０１２１６２、及び、ＡＢ０５１４７５からなるマーカー遺伝子の群から選択されるように、
染色体１３ｑでの染色体増加によって発現レベルが変化するか、若しくは、染色体１３ｑでの染色体増加の領域内に位置する前記１又は複数のマーカー遺伝子が、表１２に記述された、ＮＭ＿１４５２９３、ＮＭ＿００５３５８、Ｕ５０５３１、ＮＭ＿０１２１５８、ＮＭ＿０１７８１７、ＮＭ＿００３８９９、ＮＭ＿００３９０３、ＮＭ＿０１８３８６、ＢＣ００８９７５、ＮＭ＿０２３０１１、ＮＭ＿００１２６０、ＮＭ＿００６６４６、Ｕ５０５２４、ＮＭ＿０３３１１１、ＮＭ＿０２４８０８、ＮＭ＿０１４８３２、ＮＭ＿００６００２、ＮＭ＿０１５０５７、ＮＭ＿０２４５４６、ＢＣ０２６１２６、ＮＭ＿００６４９３、ＮＭ＿０１８２１０、及び、ＮＭ＿０１７６６４からなるマーカー遺伝子の群から選択されるように、
染色体１５ｑでの染色体消失によって発現レベルが変化するか、若しくは、染色体１５ｑでの染色体消失の領域内に位置する前記１又は複数のマーカー遺伝子が、表１３に記述された、ＮＭ＿０３０５７４、ＮＭ＿００４２５５、ＮＭ＿００２５７３、ＡＢ０３３０２５、ＮＭ＿０３３２４０、ＮＭ＿０００１２６、ＮＭ＿０１５０７９、ＮＭ＿０１５９６９、及び、ＮＭ＿０１６０７３からなるマーカー遺伝子の群から選択されるように、
染色体１７ｐでの染色体消失によって発現レベルが変化するか、若しくは、染色体１７ｐでの染色体消失の領域内に位置する前記１又は複数のマーカー遺伝子が、表１４に記述された、ＮＭ＿１３０７６６、ＮＭ＿０１５７２１、及び、ＮＭ＿０３１４３０からなるマーカー遺伝子の群から選択されるように、
染色体１８ｑでの染色体消失によって発現レベルが変化するか、若しくは、染色体１８ｑでの染色体消失の領域内に位置する前記１又は複数のマーカー遺伝子が、表１５に記述された、ＮＭ＿００４７１５、ＮＭ＿００６７０１、及び、ＮＭ＿０１４９１３からなるマーカー遺伝子の群から選択されるように、並びに／又は、
染色体２０ｑでの染色体増加によって発現レベルが変化するか、若しくは、染色体２０ｑでの染色体増加の領域内に位置する前記１又は複数のマーカー遺伝子が、表１６に記述された、ＮＭ＿０１６３９７、ＮＭ＿０１８２７０、ＮＭ＿００６６０２、ＮＭ＿０８０４７６、ＮＭ＿０１７８９６、ＮＭ＿００６０９７、ＮＭ＿０２１８０９、ＮＭ＿０１８８４０、ＮＭ＿００３６００、ＮＭ＿０１７４９５、ＮＭ＿００７００２、ＮＭ＿０１６３５４、ＮＭ＿０１４０７１、ＮＭ＿００２２１２、ＮＭ＿００３１８５、ＮＭ＿１５２２５５、ＮＭ＿０２２０８２、ＮＭ＿０１８２４４、ＮＭ＿０１４９０２、ＮＭ＿０３２０１３、ＮＭ＿０２０１８２、ＮＭ＿００６８８６、ＮＭ＿０２０６７３、ＢＣ００３１２２、ＮＭ＿０１２３２５、ＮＭ＿０１４１８３、ＮＭ＿０２１１００、ＮＭ＿００４７３８、ＮＭ＿０１６０４５、ＮＭ＿０１４０５４、ＮＭ＿０２２１０５、ＮＭ＿０１５６６６、ＮＭ＿０３２５２７、ＢＣ０２５３４５、ＮＭ＿０３３４０５、ＮＭ＿００６８９２、ＮＭ＿００５２２５、ＮＭ＿０００６８７、ＢＣ０３５６３９、ＮＭ＿０１８６７７、ＮＭ＿００６０４７、ＮＭ＿０１６４３６、ＮＭ＿０１５５１１、ＮＭ＿０１６０８２、ＮＭ＿００７２３８、ＮＭ＿００３９０８、ＮＭ＿００３６１０、ＮＭ＿１５３３６０、ＮＭ＿０８０４２５、ＮＭ＿０００１１４、ＮＭ＿００１８５３、ＮＭ＿１４４４９８、ＮＭ＿０１７７９８、及び、ＮＭ＿０１２３８４からなるマーカー遺伝子の群から選択されるように、特に、請求項３又は４に記載の方法において、染色体２０ｑでの染色体増加によって発現レベルが変化する前記マーカー遺伝子が、表１６に記述された、ＮＭ＿０１６３９７、ＮＭ＿０１８２７０、ＮＭ＿００６６０２、ＮＭ＿０８０４７６、ＮＭ＿０１７８９６、ＮＭ＿００６０９７、ＮＭ＿０２１８０９、ＮＭ＿０１８８４０、ＮＭ＿００３６００、ＮＭ＿０１７４９５、ＮＭ＿００７００２、ＮＭ＿０１６３５４、ＮＭ＿０１４０７１、ＮＭ＿００２２１２、ＮＭ＿００３１８５、ＮＭ＿１５２２５５、ＮＭ＿０２２０８２、ＮＭ＿０１８２４４、ＮＭ＿０１４９０２、ＮＭ＿０３２０１３、ＮＭ＿０２０１８２、ＮＭ＿００６８８６、ＮＭ＿０２０６７３、ＢＣ００３１２２、ＮＭ＿０１２３２５、ＮＭ＿０１４１８３、ＮＭ＿０２１１００、ＮＭ＿００４７３８、ＮＭ＿０１６０４５、ＮＭ＿０１４０５４、ＮＭ＿０２２１０５、ＮＭ＿０１５６６６、ＮＭ＿０３２５２７、ＢＣ０２５３４５、及び、ＮＭ＿０３３４０５からなるマーカー遺伝子の群から選択されるように、
選択される。
【００２２】
本発明は、発現レベルにおける差異が３つ、４つ、又、さらには５つの異なる染色体異常の存在にさえも関連づけられる一組のマーカー遺伝子をさらに開示している（表１８）。
【００２３】
従って、本発明は、患者における結腸直腸腺癌細胞の存在を検出するためのｉｎ  ｖｉｔｒｏでの方法を提供し、当該方法は、（ａ）表１８に記述されたマーカー遺伝子から選択された１又は複数のマーカー遺伝子の発現レベルを前記患者の検査試料において検出するステップ、及び、（ｂ）ステップ（ａ）で使用されたこれらのマーカー遺伝子の発現レベルを対照試料の発現レベルに比較するステップを含む。対照試料に比較された検査試料におけるこれらの１又は複数のマーカー遺伝子の増加又は減少した発現レベルは、患者における結腸直腸腺癌細胞の存在を示している。
【００２４】
上記の本発明の方法における特定の実施形態は、マーカー遺伝子がそのｐ値又はＦＤＲ値に応じてさらに選択される方法に関する。より正確には、マーカー遺伝子は、表１から９に示されているように、０．０５未満、若しくは、特に０．０１未満のｐ値又はＦＤＲ値を有している。
【００２５】
上記の本発明の方法におけるさらなる特定の実施形態は、マーカー遺伝子が、腺癌細胞と腺腫細胞間の発現における差の大きさに応じてさらに選択される方法に関する。特に、表２から９による、少なくとも「２」、特に、少なくとも「４」という発現レベルの差を有するとして示されたマーカーが選択される。
【００２６】
一般的に、本発明のｉｎ  ｖｉｔｒｏでの方法において、前記検査試料は、結腸直腸病変部の細胞を含むか又は含むと疑われる試料である。一実施形態において、前記検査試料は、結腸直腸病変部の生検又は切除由来の試料である。あるいは、前記検査試料は、尿、血液、唾液、汗、及び便の試料からなる群から選択される。
【００２７】
本発明の方法における特定の実施形態において、前記対照試料は、結腸直腸腺腫細胞を含むが結腸直腸癌腫細胞を含まない、患者の同じ組織の試料である。別の実施形態において、前記対照試料は腺腫の標準である。
【００２８】
特に好ましい実施形態において、本発明は、患者における結腸直腸腺癌細胞の存在を検出するためのｉｎ  ｖｉｔｒｏでの方法に関し、当該方法は、
（ａ）少なくとも、表８、９、又は１６に記載のマーカー遺伝子、ＮＭ＿０１７４９５及びＮＭ＿００６６０２の発現レベルを前記患者の検査試料において検出するステップ、並びに、
（ｂ）ステップ（ａ）で使用された前記マーカー遺伝子の発現レベルを対照試料の発現レベルに比較するステップを含み、
前記対照試料に比較された前記検査試料における前記少なくとも２つのマーカー遺伝子の増加した発現レベルは、前記患者における結腸直腸腺癌細胞の存在を示している。
【００２９】
本発明のこの好ましい態様におけるさらなる詳細は、請求項１に記載のｉｎ  ｖｉｔｒｏでの方法に関し、
（ａ）少なくとも、表８、９、又は１６に記載のマーカー遺伝子、ＮＭ＿０１７４９５、ＮＭ＿００６６０２、ＮＭ＿０１８８４０、ＮＭ＿００３６００、ＮＭ＿０１８２７０、ＮＭ＿００７００２、及び、ＮＭ＿０１６３９７の発現レベルを前記患者の検査試料において検出するステップ、並びに、
（ｂ）ステップ（ａ）で使用された前記マーカー遺伝子の発現レベルを対照試料の発現レベルに比較するステップを含み、
前記対照試料に比較された前記検査試料における前記少なくとも７つのマーカー遺伝子の増加した発現レベルは、前記患者における結腸直腸腺癌細胞の存在を示している。
【００３０】
そのような方法は、少なくとも８５％、好ましくは少なくとも８８％の検査されるケースにおいて腺癌から腺腫を正確に分類し、識別することを可能にする。
【００３１】
本発明のｉｎ  ｖｉｔｒｏでの方法における特定の実施形態において、発現レベルは、ＤＮＡ又はＲＮＡレベルで決定される。別の実施形態は、蛋白質レベルでのマーカー遺伝子発現の決定を含む。
【００３２】
本発明の方法は、結腸直腸癌腫への結腸直腸腺腫の進行を診断するのに特に適している。
【００３３】
本発明のさらなる態様は、その発現が腺癌細胞の存在を示すマーカー遺伝子を特異的に検出するための薬剤を含む、結腸直腸腺癌細胞を検出するためのキットを提供する。前記薬剤は、任意選択で、放射性ラベル、磁気ラベル、ＭＲＩ造影ラベル（ＭＲＩ  ｃｏｎｔｒａｓｔ  ｌａｂｅｌ）、発色団ラベル、及び、超音波ラベルから選択されたラベル等のラベルで機能化される。特定の実施形態において、前記キットは、表１に記述されたマーカー遺伝子のうち少なくとも１２個のマーカー遺伝子の発現を特異的に検出するための薬剤を含む。
【００３４】
あるいは、キットは、結腸直腸腺癌細胞を検出するために提供され、表１７に記述されたマーカー遺伝子のうち少なくとも１つのマーカー遺伝子の発現を特異的に検出するための薬剤を含む。
【００３５】
本発明の特定の実施形態は、１又は複数のマーカー遺伝子の発現を特異的に検出するための薬剤を含む、結腸直腸腺癌細胞を検出するためのキットに関し、当該キットは、
表２に記述された群から選択された３つ以上のマーカー遺伝子を特異的に検出するための薬剤、
表３に記述された群から選択された１又は複数のマーカー遺伝子を特異的に検出するための薬剤、
表４に記述された群から選択された２つ以上のマーカー遺伝子を特異的に検出するための薬剤、
表５に記述された群から選択された１又は複数のマーカー遺伝子を特異的に検出するための薬剤、
表６に記述された群から選択された１又は複数のマーカー遺伝子を特異的に検出するための薬剤、
表７に記述された群から選択された３つ以上のマーカー遺伝子を特異的に検出するための薬剤、
表８に記述された群から選択された７つ以上のマーカー遺伝子を特異的に検出するための薬剤、及び／又は、
表９に記述された群から選択された７つ以上のマーカー遺伝子を特異的に検出するための薬剤を含む。
【００３６】
本発明のキットにおけるさらなる実施形態は、以下の、表２に記述されたマーカー遺伝子、表３に記述されたマーカー遺伝子、表４に記述されたマーカー遺伝子、表５に記述されたマーカー遺伝子、表６に記述されたマーカー遺伝子、表７に記述されたマーカー遺伝子、表８に記述されたマーカー遺伝子、及び、表９に記述されたマーカー遺伝子の群のそれぞれのうち少なくとも１つのマーカー遺伝子の発現を特異的に検出するための一組の薬剤を含む、結腸直腸腺癌細胞を検出するためのキットに関する。
【００３７】
上記の本発明のキットにおけるさらなる特定の実施形態は、マーカー遺伝子の特異的検出のための薬剤を提供し、前記マーカー遺伝子は、表１から９によると、０．０５未満、より正確には０．０１未満のｐ値又はＦＤＲ値を有している。
【００３８】
上記の本発明のキットにおけるさらなる特定の実施形態は、マーカー遺伝子の特異的検出のための薬剤を提供し、前記マーカー遺伝子は、表２から９、又は１７によると、少なくとも「２」、特に、少なくとも「４」という腺腫細胞と腺癌細胞間における発現レベルの差を有している。
【００３９】
本明細書に記述されているキットのさらなる特定の実施形態において、前記薬剤はオリゴヌクレオチド又は抗体である。オリゴヌクレオチドは、任意選択で、支持体上に配列される。本明細書に記述されているキットのさらなる特定の実施形態は、抗体を含むキットに関し、前記抗体は、マーカー遺伝子によってコードされた蛋白質に結合する。特定の実施形態において、前記抗体は、マーカー遺伝子によってコードされた蛋白質に結合し、それによって、前記蛋白質は、分泌性蛋白質か、又は、細胞表面上の蛋白質である。
【００４０】
さらに、本発明のさらなる態様は、患者の結腸直腸組織における腺癌細胞を検出するためのｉｎ  ｖｉｖｏでの方法に関する。
【００４１】
より正確には、本発明は、結腸直腸病変部における腺癌細胞を検出するためのｉｎ  ｖｉｖｏでの方法を提供し、当該方法は、表１７に記述された遺伝子から選択されたマーカー遺伝子によって発現した蛋白質と特異的に結合する又は相互作用する能力を持つラベルされた薬剤に前記結腸直腸病変部を接触させるステップ、及び、（ｂ）前記結腸直腸病変部との前記薬剤の結合又は相互作用を検出するステップを含む。前記結腸直腸病変部の位置内での前記薬剤の結合又は相互作用における差の検出は、前記病変部における腺癌細胞の存在を示している。
【００４２】
特定の実施形態において、本発明のｉｎ  ｖｉｖｏでの方法に使用されるマーカー遺伝子は、細胞膜に位置する蛋白質、分泌性蛋白質、又は酵素をコードする遺伝子である。
【００４３】
本発明は、従って、結腸直腸腺腫組織における腺癌細胞の存在を検出するためのｉｎ  ｖｉｖｏでの診断器具として使用するための、表１７又は１８に記述されたマーカー遺伝子と特異的に結合又は相互作用する薬剤を提供する。
【００４４】
従って、本発明は、結腸直腸腫瘍組織内の腺癌細胞の存在を検出するための診断器具の製造における、表１７又は１８に記述されたマーカー遺伝子と特異的に結合又は相互作用する薬剤の使用にも関する。
【００４５】
本発明の上記及び他の特徴、特色、及び利点は、以下の詳細な説明から明らかになる。この説明は、本発明の範囲を限定することなく、例のためだけに与えられる。
【発明を実施するための形態】
【００４６】
本発明は、特定の実施形態に関して、及び、特定の図面を参考にして記述されるが、本発明はそれに限定されず、特許請求の範囲によってのみ限定される。特許請求の範囲におけるいかなる参照番号も、範囲を限定するものとして解釈されない。描写されている図面は、概略的なだけであり、無制限的である。図面においては、要素のうちいくつかのサイズが過大視されている場合があり、例証目的のため尺度で描かれていない。「含む」という用語が本明細書及び特許請求の範囲において使用されている場合は、他の要素又はステップを除外しない。単数名詞を言及する際に不定冠詞又は定冠詞が使用されている場合は、何か他に明確に述べられていない限りその名詞の複数形を含む。
【００４７】
さらに、本明細書及び特許請求の範囲において第１、第２、第３等の用語は、類似の要素を区別するために使用され、必ずしも順番又は時系列順を記述するために使用されているのではない。そのように使用されている用語は、適切な状況下で交換可能であり、本明細書において記述されている本発明の実施形態は、本明細書に記述又は例示された順序以外の順序で操作できることが理解されたい。
【００４８】
以下の用語又は定義は、単に本発明の理解に寄与するために提供されている。これらの定義は、当業者により理解されるものより狭い範囲を有していると解釈されるべきではない。
＜定義＞
本明細書において使用される場合、「腫瘍」は、細胞増殖によって通常よりも急速に成長し、新たな増殖の終止をイニシエートした刺激の後も成長し続ける異常な組織を表している。いかなる疾患又は傷害によるいかなる組織又は器官も巻き込む異常を一般的に表す「病変部」という用語は、本明細書に使用される場合、腫瘍も表している。腫瘍又は病変部は、良性又は悪性であり得る。
【００４９】
「癌」は、いかなる種類の悪性腫瘍も表す一般的な用語である。
【００５０】
本明細書において使用される場合、「腺腫」（又は進行していない腺腫）は、良性の上皮性腫瘍に関する。腺腫は、通常、よく取り囲まれており、平ら又はポリープ状でありえ、腫瘍細胞は隣接する組織に浸潤又は侵入しない。
【００５１】
本明細書において使用される場合、「腺癌（ａｄｅｎｏｃａｒｃｉｎｏｍａ）」は、上皮細胞の悪性腫瘍に関する。最も一般的に、癌腫は、腺性のパターンを形成する。類義語は、「ｇｌａｎｄｕｌａｒ  ｃａｎｃｅｒ（腺癌）」及び「ｇｌａｎｄｕｌａｒ  ｃａｒｃｉｎｏｍａ（腺癌）」である。悪性細胞は、進行性で制御されない増殖によって特徴づけられることが多く、局所的に、又は、血流及びリンパ系を介して体の他の部分まで広がることができる。
【００５２】
「進行した腺腫」は、癌の病巣をかくまう腺腫を表している。これは、「悪性ポリープ」とも呼ばれる。結腸直腸腺腫は高齢層において一般的であるが、これらの前癌性腫瘍のうち少ない割合のみ（推定約５％）が悪性腫瘍（すなわち結腸直腸腺癌）まで進行する。
【００５３】
「結腸直腸」は、結腸及び／又は直腸の部分、すなわち、大腸全部に関する。
【００５４】
本明細書において使用される場合、「染色体異常」は、染色体の消失又は増加、すなわち、染色体のうち欠失又は複製された領域を表している。
【００５５】
本明細書において使用される場合、「マーカー遺伝子」は、腺腫細胞と腺癌細胞間でその発現が異なり（減少又は増加し）、従って、腺腫細胞と癌腫細胞を区別するために使用することができる遺伝子である。
【００５６】
「発現プロファイル」は、細胞又は試料における多くのマーカー遺伝子の発現レベルを表している。
【００５７】
本発明は、悪性と良性の結腸直腸病変部を識別するための、及び、対象における結腸直腸癌の存在を診断するための診断方法及びツールを提供する。本発明の診断方法は、信頼できる、非常に初期の結腸直腸癌の検出を可能にする。
【００５８】
本発明の一態様は、患者における結腸直腸腺癌細胞の存在を検出するためのｉｎ  ｖｉｔｒｏでの方法に関し、当該方法は、１又は複数のマーカー遺伝子の発現レベルを前記患者の検査試料において検出するステップを含む。前記１又は複数のマーカー遺伝子の発現レベルは対照試料の発現レベルに比較され、それによって、対照試料における発現レベルに比較された検査試料における前記１又は複数のマーカー遺伝子の発現レベルの差は、前記患者における結腸直腸腺癌細胞の存在を示している。
【００５９】
一般に、本発明の方法に使用されるマーカー遺伝子は、腺腫細胞と腺癌細胞間で異なって発現する。差の大きさ、すなわち、マーカー遺伝子の発現上昇又は発現低下が腺癌試料内で生じる程度（例えば、２倍、４倍、若しくは８倍、又は、さらにそれ以上）に基づき、さらなる選択を実行することができる。発現レベルは、表において「Ｅｆｆｅｃｔ」という見出しの下に、対数ｌｏｇ−２値として示されている。従って、１という値は、腺腫と比較した腺癌内の２倍の遺伝子の発現を表し、２という値は４倍の発現を表し、３という値は８倍の発現を表している。同様に、−１という値は、腺腫と比較した腺癌内の２分の１の遺伝子の発現を表し、−２という値は４分の１の発現を表し、−３という値は８分の１の発現を表している。あるいは、マーカー遺伝子のさらなる選択を、前記マーカーの腺腫細胞及び癌腫細胞における発現差異の（ｐ値又はＦＤＲ（Ｆａｌｓｅ  Ｄｉｓｃｏｖｅｒｙ  Ｒａｔｅ）値を使用した）統計的有意性の計算に基づいて実行することもできる。特定の実施形態において、どの選択基準も使用される。
【００６０】
本発明の一実施形態において、患者における腺癌細胞の存在は、腺腫細胞と腺癌細胞を比較した際に発現が２倍、４倍、若しくは８倍以上変化する（増加又は減少する）、及び／又は、マーカー遺伝子の発現と腺腫細胞若しくは腺癌細胞の出現との相互関係に対するｐ値が０．０１以下（統計的に有意）である１又は複数のマーカー遺伝子の発現を決定することによって同定される。
【００６１】
本発明のｉｎ  ｖｉｔｒｏでの方法における検出に使用される試料は、いかなる臨床的に受け入れられる様式でも収集することができるが、核酸（特にＲＮＡ）又は蛋白質が保たれるように収集される。本発明に従って分析される試料は、一般的に、結腸直腸生検組織又は切除組織である。腫瘍組織由来の無傷の細胞又は溶解した細胞は、インターベンションすることなく結腸から離すこともでき、排泄物となる。従って、便試料もＲＮＡを単離するのに適した供給源としてみなすことができる。さらに、結腸直腸腺癌細胞は、他の組織に移動することができる。結果として、血液及び他の種類の試料も使用することができる。結腸直腸腺腫から腺癌までの進行を可能な限り初期に検出することが目的であるため、生検組織又は切除組織は、多数の腺腫細胞及び少数の腺癌細胞のみを含むことができる。信号対バックグラウンド比を上げるために、分析に先立ち切片を異なる副試料に分けることができる。生検組織又は切除組織における癌腫細胞の総数が限られていたとしても、副試料のうち少なくとも１つは、増加した腺癌細胞対腺腫細胞の比を含むということを期待することができる。
【００６２】
本発明のｉｎ  ｖｉｔｒｏでの方法において、１又は複数のマーカー遺伝子の発現は、患者の試料においてＲＮＡ又は蛋白質レベルで決定され、対照試料におけるこれら遺伝子の発現に比較される。前記対照試料は、同じ患者由来の腺腫試料であり得る。あるいは、前記対照試料は、別の個体から得られた、又は、１又は複数の他の個体由来のプールされた結腸直腸腺腫の試料から得られた腺腫試料である。対照は、一組の核酸又は蛋白質をプールすることによって人工的に作製され、結腸直腸腺腫組織のＲＮＡ／蛋白質の内容物を模倣することもできる。
【００６３】
第一の実施形態において、結腸直腸腺腫細胞等の対照と比較して結腸直腸癌腫細胞内で発現上昇又は発現低下されるとして特徴づけられるマーカー遺伝子は、表１から選択される。表１に列挙されたマーカー遺伝子のうちどれもが、試料内の結腸直腸腺癌細胞の存在を同定するための本発明の方法において使用するのに適しているけれども、本発明の重要な利点は、検出の信頼度を上げることを可能にするよう適したマーカーの広範囲にわたるリストの規定である。従って、本発明の特定の実施形態は、表１のマーカー遺伝子のうち少なくとも２個、少なくとも５個、少なくとも１０、１２、若しくは１５個、少なくとも２０個、少なくとも５０個、少なくとも１００個、少なくとも２００個、少なくとも５００個、又は、全ての使用に関する。特定の実施形態では、表１のマーカー遺伝子のサブセット、すなわち、０．０１以下のｐ値を有する表１のマーカー遺伝子が使用される。
【００６４】
別の実施形態では、結腸直腸腺腫細胞等の対照と比較して結腸直腸癌腫細胞内で発現上昇されるか、又は、発現低下されるとして特徴づけられるマーカー遺伝子は、表１７から選択される。表１７のマーカー遺伝子のうち、結腸直腸腺癌のマーカー遺伝子として今までに同定されてきたものはなく、表１７のマーカー遺伝子のそれぞれが、試料内の結腸直腸腺癌細胞の存在を同定するための本発明の方法において使用するのに適している。特定の実施形態において、表１７で同定された１、２、３、４、５、６、７、８、９、１０個、又はそれ以上の遺伝子の発現が、患者の試料において決定され、対照に比較されて患者における腺癌細胞の存在を同定する。
【００６５】
本発明の方法におけるさらなる実施形態によると、結腸直腸腫瘍細胞における特定の染色体異常に発現レベルが直接関連づけられる表１のマーカー遺伝子のサブセットは、有用である。
【００６６】
一実施形態において、本発明は、染色体消失が結腸直腸腺腫細胞において染色体８ｐにて生じた場合に発現レベルが変化する一組のマーカー遺伝子を提供する。これらのマーカー遺伝子は、表２に列挙されている。従って、表２に列挙されたマーカー遺伝子のうちどれも、結腸直腸癌腫細胞を同定するための本発明の方法及びツールにおいて使用することができる。本発明の方法及びツールでは、表２のマーカー遺伝子のうち少なくとも１個、少なくとも２個、少なくとも３個、少なくとも５個、少なくとも１０個、少なくとも２０個、少なくとも５０個、少なくとも１００個、少なくとも２００個、又は、全てが使用される。さらに、又は、あるいは、本発明の方法に使用される１又は複数のマーカー遺伝子は、表２のサブセット、すなわち、０．０５以下、特に０．０１以下のＦＤＲ（Ｆａｌｓｅ  Ｄｉｓｃｏｖｏｒｙ  Ｒａｔｅ）値を有する表２のマーカー遺伝子から選択される。さらに、又は、あるいは、本発明の方法に使用される１又は複数のマーカー遺伝子は、腺癌細胞と比較して腺癌細胞において発現レベルが増加するマーカー遺伝子に対応する表２のサブセットから選択される。さらに、又は、あるいは、本発明の方法に使用される１又は複数のマーカー遺伝子は、腺腫細胞及び腺癌細胞における発現レベルが少なくとも２倍、少なくとも４倍、又は、少なくとも８倍異なるマーカー遺伝子に対応する表２のサブセットから選択される。同様に、少なくとも２、４、又は８倍という、腺腫と腺癌間における発現レベルの差（増加又は減少）を有し、ＦＤＲ値が０．０５以下又は０．０１以下であるマーカー遺伝子のサブセットを作製することができる。
【００６７】
別の実施形態において、本発明は、染色体増加が結腸直腸腺腫細胞において染色体８ｑにて生じた場合に発現レベルが変化する一組のマーカー遺伝子を提供する。これらのマーカー遺伝子は、表３に列挙されている。従って、表３に列挙されたマーカー遺伝子のうちどれも、結腸直腸癌腫細胞を同定するための本発明の方法及びツールにおいて使用することができる。本発明の方法及びツールでは、表３のマーカー遺伝子のうち少なくとも１個、少なくとも２個、少なくとも３個、少なくとも５個、少なくとも１０個、少なくとも２０個、又は、全てが使用される。さらに、又は、あるいは、本発明の方法に使用される１又は複数のマーカー遺伝子は、表３のサブセット、すなわち、０．０５以下、特に０．０１以下のＦＤＲ（Ｆａｌｓｅ  Ｄｉｓｃｏｖｏｒｙ  Ｒａｔｅ）値を有する表３のマーカー遺伝子から選択される。さらに、又は、あるいは、本発明の方法に使用される１又は複数のマーカー遺伝子は、腺癌細胞と比較して腺癌細胞において発現レベルが増加するマーカー遺伝子に対応する表３のサブセットから選択される。さらに、又は、あるいは、本発明の方法に使用される１又は複数のマーカー遺伝子は、腺腫細胞及び腺癌細胞における発現レベルが少なくとも２倍、少なくとも４倍、又は、少なくとも８倍異なるマーカー遺伝子に対応する表３のサブセットから選択される。同様に、少なくとも２、４、又は８倍という、腺腫と腺癌間における発現レベルの差（増加又は減少）を有し、ＦＤＲ値が０．０５以下又は０．０１以下であるマーカー遺伝子のサブセットを表３から作製することができる。
【００６８】
別の実施形態において、本発明は、染色体増加が結腸直腸腺腫細胞において染色体１３ｑにて生じた場合に発現レベルが変化する一組のマーカー遺伝子を提供する。これらのマーカー遺伝子は、表４に列挙されている。従って、表４に列挙されたマーカー遺伝子のうちどれも、結腸直腸癌腫細胞を同定するための本発明の方法及びツールにおいて使用することができる。本発明の方法及びツールにおける一実施形態では、表４のマーカー遺伝子のうち少なくとも１個、少なくとも２個、少なくとも３個、少なくとも５個、少なくとも１０個、少なくとも２０個、少なくとも５０個、少なくとも１００個、又は、全てが使用される。さらに、又は、あるいは、本発明の方法に使用される１又は複数のマーカー遺伝子は、表４のサブセット、すなわち、０．０５以下、特に０．０１以下のＦＤＲ（Ｆａｌｓｅ  Ｄｉｓｃｏｖｏｒｙ  Ｒａｔｅ）値を有する表４のマーカー遺伝子から選択される。さらに、又は、あるいは、本発明の方法に使用される１又は複数のマーカー遺伝子は、腺癌細胞と比較して腺癌細胞において発現レベルが増加するマーカー遺伝子に対応する表４のサブセットから選択される。さらに、又は、あるいは、本発明の方法に使用される１又は複数のマーカー遺伝子は、腺腫細胞及び腺癌細胞における発現レベルが少なくとも２倍、少なくとも４倍、又は、少なくとも８倍異なるマーカー遺伝子に対応する表４のサブセットから選択される。同様に、少なくとも２、４、又は８倍という、腺腫と腺癌間における発現レベルの差（増加又は減少）を有し、ＦＤＲ値が０．０５以下又は０．０１以下であるマーカー遺伝子のサブセットを表４から作製することができる。
【００６９】
別の実施形態において、本発明は、染色体消失が結腸直腸腺腫細胞において染色体１５ｑにて生じた場合に発現レベルが変化する一組のマーカー遺伝子を提供する。これらのマーカー遺伝子は、表５に列挙されている。従って、表５に列挙されたマーカー遺伝子のうちどれも、結腸直腸癌腫細胞を同定するための本発明の方法及びツールにおいて使用することができる。本発明の方法及びツールにおける特定の実施形態では、表５のマーカー遺伝子のうち少なくとも１個、少なくとも２個、少なくとも３個、少なくとも５個、少なくとも１０個、少なくとも２０個、少なくとも３０個、又は、全てが使用される。さらに、又は、あるいは、本発明の方法に使用される１又は複数のマーカー遺伝子は、表５のサブセット、すなわち、０．０５以下、特に０．０１以下のＦＤＲ（Ｆａｌｓｅ  Ｄｉｓｃｏｖｏｒｙ  Ｒａｔｅ）値を有する表５のマーカー遺伝子から選択される。さらに、又は、あるいは、本発明の方法に使用される１又は複数のマーカー遺伝子は、腺種細胞と比較して腺癌細胞において発現レベルが増加するマーカー遺伝子に対応する表５のサブセットから選択される。さらに、又は、あるいは、本発明の方法に使用される１又は複数のマーカー遺伝子は、腺腫細胞及び腺癌細胞における発現レベルが少なくとも２倍、少なくとも４倍、又は、少なくとも８倍異なるマーカー遺伝子に対応する表５のサブセットから選択される。同様に、少なくとも２、４、又は８倍という、腺腫と腺癌間における発現レベルの差（増加又は減少）を有し、ＦＤＲ値が０．０５以下又は０．０１以下であるマーカー遺伝子のサブセットを表５から作製することができる。
【００７０】
別の実施形態において、本発明は、染色体消失が結腸直腸腺腫細胞において染色体１７ｐにて生じた場合に発現レベルが変化する一組のマーカー遺伝子を提供する。これらのマーカー遺伝子は、表６に列挙されている。従って、表６に列挙されたマーカー遺伝子のうちどれも、結腸直腸癌腫細胞を同定するための本発明の方法及びツールにおいて使用することができる。本発明の方法及びツールにおける特定の実施形態では、表６のマーカー遺伝子のうち少なくとも１個、少なくとも２個、少なくとも３個、少なくとも４個、少なくとも６個、又は、全てが使用される。さらに、又は、あるいは、本発明の方法に使用される１又は複数のマーカー遺伝子は、表６のサブセット、すなわち、０．１以下のＦＤＲ（Ｆａｌｓｅ  Ｄｉｓｃｏｖｏｒｙ  Ｒａｔｅ）値を有する表６のマーカー遺伝子から選択される。さらに、又は、あるいは、本発明の方法に使用される１又は複数のマーカー遺伝子は、腺種細胞と比較して腺癌細胞において発現レベルが増加するマーカー遺伝子に対応する表６のサブセットから選択される。さらに、又は、あるいは、本発明の方法に使用される１又は複数のマーカー遺伝子は、腺腫細胞及び腺癌細胞における発現レベルが少なくとも２倍、少なくとも４倍、又は、少なくとも８倍異なるマーカー遺伝子に対応する表６のサブセットから選択される。同様に、少なくとも２、４、又は８倍という、腺腫と腺癌間における発現レベルの差（増加又は減少）を有し、ＦＤＲ値が０．１以下であるマーカー遺伝子のサブセットを表６から作製することができる。
【００７１】
別の実施形態において、本発明は、染色体消失が結腸直腸腺腫細胞において染色体１８ｑにて生じた場合に発現レベルが変化する一組のマーカー遺伝子を提供する。これらのマーカー遺伝子は、表７に列挙されている。従って、表７に列挙されたマーカー遺伝子のうちどれも、結腸直腸癌腫細胞を同定するための本発明の方法及びツールにおいて使用される。本発明の方法及びツールにおける特定の実施形態では、表７のマーカー遺伝子のうち少なくとも１個、少なくとも２個、少なくとも３個、少なくとも５個、少なくとも１０個、少なくとも２０個、少なくとも５０個、少なくとも１００個、少なくとも２００個、又は、全てが使用される。さらに、又は、あるいは、本発明の方法に使用される１又は複数のマーカー遺伝子は、表７のサブセット、すなわち、０．０５以下、特に０．０１以下のＦＤＲ（Ｆａｌｓｅ  Ｄｉｓｃｏｖｏｒｙ  Ｒａｔｅ）値を有する表７のマーカー遺伝子から選択される。さらに、又は、あるいは、本発明の方法に使用される１又は複数のマーカー遺伝子は、腺種細胞と比較して腺癌細胞において発現レベルが増加するマーカー遺伝子に対応する表７のサブセットから選択される。さらに、又は、あるいは、本発明の方法に使用される１又は複数のマーカー遺伝子は、腺腫細胞及び腺癌細胞における発現レベルが少なくとも２倍、少なくとも４倍、又は、少なくとも８倍異なるマーカー遺伝子に対応する表７のサブセットから選択される。同様に、少なくとも２、４、又は８倍という、腺腫と腺癌間における発現レベルの差（増加又は減少）を有し、ＦＤＲ値が０．０５以下、特に０．０１以下であるマーカー遺伝子のサブセットを表７から作製することができる。
【００７２】
別の実施形態において、本発明は、染色体増加が結腸直腸腺腫細胞において染色体２０ｑにて生じた場合に発現レベルが変化する一組のマーカー遺伝子を提供する。これらのマーカー遺伝子は表８及び９に列挙されており、表８のデータは単変量解析から、表９のデータは多変量解析から得られる。従って、表８又は９に列挙されたマーカー遺伝子のうちどれも、結腸直腸癌腫細胞を同定するための本発明の方法及びツールにおいて使用することができる。本発明の方法及びツールにおける特定の実施形態では、表８又は９のマーカー遺伝子のうち少なくとも１個、少なくとも２個、少なくとも４個、少なくとも６個、少なくとも８個、少なくとも１０個、少なくとも１５個、少なくとも２０個、少なくとも２５個、少なくとも５０個、少なくとも１００個、少なくとも２００個、少なくとも４００個、少なくとも６００個、又は、全てが使用される。さらに、又は、あるいは、使用される１又は複数のマーカー遺伝子は、表８又は９のサブセット、すなわち、０．０５以下、特に０．０１以下のＦＤＲ値を有する表８又は９のマーカー遺伝子から選択される。さらに、又は、あるいは、本発明の方法に使用される１又は複数のマーカー遺伝子は、腺種細胞と比較して結腸直腸腺癌細胞において発現レベルが増加するマーカー遺伝子に対応する表８又は９のサブセットから選択される。さらに、又は、あるいは、前記１又は複数のマーカー遺伝子は、表８又は９の別のサブセット、すなわち、腺腫及び腺癌における発現レベルが少なくとも２倍、少なくとも４倍、又は、少なくとも８倍異なるマーカー遺伝子から選択される。同様に、少なくとも２、４、又は８倍という、腺腫と腺癌間における発現レベルの差（増加又は減少）を有し、ＦＤＲ値が０．０５以下又は０．０１以下であるマーカー遺伝子のサブセットを表８又は９から作製することができる。
【００７３】
特に好ましい実施形態において、本発明は、患者における結腸直腸腺癌細胞の存在を検出するためのｉｎ  ｖｉｔｒｏでの方法に関し、当該方法は、
（ａ）少なくとも、表８、９、又は１６に記載のマーカー遺伝子、ＮＭ＿０１７４９５及びＮＭ＿００６６０２の発現レベルを前記患者の検査試料において検出するステップ、及び、
（ｂ）ステップ（ａ）で使用された前記マーカー遺伝子の発現レベルを対照試料の発現レベルに比較するステップを含み、
前記対照試料に比較された前記検査試料における前記少なくとも２つのマーカー遺伝子の増加した発現レベルは、前記患者における結腸直腸腺癌細胞の存在を示している。
【００７４】
本発明のこの好ましい態様におけるさらなる詳細は、請求項１に記載のｉｎ  ｖｉｔｒｏでの方法に関し、
（ａ）少なくとも、表８、９、又は１６に記載のマーカー遺伝子、ＮＭ＿０１７４９５、ＮＭ＿００６６０２、ＮＭ＿０１８８４０、ＮＭ＿００３６００、ＮＭ＿０１８２７０、ＮＭ＿００７００２、及び、ＮＭ＿０１６３９７の発現レベルを前記患者の検査試料において検出するステップ、及び、
（ｂ）ステップ（ａ）で使用された前記マーカー遺伝子の発現レベルを対照試料の発現レベルに比較するステップを含み、
前記対照試料に比較された前記検査試料における前記少なくとも７つのマーカー遺伝子の増加した発現レベルは、前記患者における結腸直腸腺癌細胞の存在を示している。
【００７５】
染色体腕２０ｑの増加は、５０％を超える、さらには６０％を超えるケースにおいて、結腸直腸腺腫細胞内で観察することができる。そのような染色体腕２０ｑの増加に対して、上記の、表８、９、又は１６に記載のマーカー遺伝子、ＮＭ＿０１７４９５、ＮＭ＿００６６０２、ＮＭ＿０１８８４０、ＮＭ＿００３６００、ＮＭ＿０１８２７０、ＮＭ＿００７００２、及び、ＮＭ＿０１６３９７は、腺癌対腺腫において過剰発現し、少なくとも８５％、好ましくは少なくとも８８％の検査されるケースにおいて、腺癌から腺腫を正確に識別することを可能にすることがわかった。
【００７６】
表２から９に列挙された上記のマーカー遺伝子の組は、特定の種類の染色体異常に結びつけられるマーカー遺伝子を含む。しかし、特定の遺伝子が異なる染色体異常によって発現上昇されるということが可能である。従って、表２から９は、ある程度の重複を示している。マーカー遺伝子は、より一般的に、１つの染色体異常の発生が特徴であるため、表２から９において２回以上現れるマーカー遺伝子は、本発明の方法において使用するのに特に適している。発現レベルが３、４、又は５個の異なる染色体異常によって変化するマーカー遺伝子が、表１８に提示されている。従って、本発明の方法における特定の実施形態は、患者における結腸直腸腺癌細胞の同定のための、表１８のマーカー遺伝子のうち少なくとも１個、少なくとも２個、少なくとも４個、少なくとも６個、少なくとも８個、少なくとも１０個、少なくとも１５個、少なくとも２０個、少なくとも２５個、少なくとも５０個、少なくとも１００個、少なくとも２００個、少なくとも４００個、少なくとも６００個、又は、全ての使用に関する。さらに、又は、あるいは、本発明の方法に使用される１又は複数のマーカー遺伝子は、腺種細胞と比較して腺癌細胞において発現レベルが増加するマーカー遺伝子に対応する表１８のサブセットから選択される。
【００７７】
本発明は、結腸直腸腺腫細胞と腺癌細胞との間で異なって発現するマーカー遺伝子を提供するだけでなく、この発現差異を染色体異常の存在にさらに関連づける。これは、染色体異常のそれぞれを表す一組のマーカー遺伝子を使用した診断ツールの開発を可能にした。
【００７８】
従って、さらなる特定の実施形態は、染色体異常のそれぞれを示すマーカー遺伝子を含むマーカー遺伝子の組に関する。特に、そのようなマーカー遺伝子の組は、
表２から選択された、少なくとも１個、少なくとも２個、少なくとも５個、少なくとも１０個、又はそれ以上のマーカー遺伝子（８ｐの消失に関連づけられたマーカー遺伝子）、
表３から選択された、少なくとも１個、少なくとも２個、少なくとも５個、少なくとも１０個、又はそれ以上のマーカー遺伝子（８ｑの増加に関連づけられたマーカー遺伝子）、
表４から選択された、少なくとも１個、少なくとも２個、少なくとも５個、少なくとも１０個、又はそれ以上のマーカー遺伝子（１３ｑの増加に関連づけられたマーカー遺伝子）、
表５から選択された、少なくとも１個、少なくとも２個、少なくとも５個、少なくとも１０個、又はそれ以上のマーカー遺伝子（１５ｑの消失に関連づけられたマーカー遺伝子）、
表６から選択された、少なくとも１個、少なくとも２個、少なくとも５個、少なくとも１０個、又はそれ以上のマーカー遺伝子（１７ｐの消失に関連づけられたマーカー遺伝子）、
表７から選択された、少なくとも１個、少なくとも２個、少なくとも５個、少なくとも１０個、又はそれ以上のマーカー遺伝子（１８ｑの消失に関連づけられたマーカー遺伝子）、及び、
表８又は９から選択された、少なくとも１個、少なくとも２個、少なくとも５個、少なくとも１０個、又はそれ以上のマーカー遺伝子（２０ｑの増加に関連づけられたマーカー遺伝子）、
を含む。
【００７９】
さらに、又は、あるいは、本発明の方法に使用される１又は複数のマーカー遺伝子は、腺種細胞と比較して結腸直腸腺癌細胞において発現レベルが増加するマーカー遺伝子に対応する上記のマーカー遺伝子の組のサブセットから選択される。
【００８０】
本発明の他の実施形態において、本発明の方法及びツールにおいて使用される、染色体異常のそれぞれを示す前記マーカー遺伝子の組は、それ自体が増加又は消失される染色体領域内に位置する遺伝子を含む。従って、前記マーカー遺伝子の組は、
表１０に列挙された、８ｐでの染色体消失と付随する遺伝子のうち少なくとも１個、少なくとも２個、少なくとも５個、少なくとも１０個、又は全てであって、特に、１又は複数のマーカー遺伝子が、ＮＭ＿０２０７４９及びＮＭ＿００４３１５からなる群から選択され、並びに／又は、ＮＭ＿００３７４７、ＮＭ＿０１６３５３、ＮＭ＿１５２４１５、ＮＭ＿００６１９７、ＮＭ＿０００６６２、ＮＭ＿００００１５、及び、Ｄ３１８８７からなる群から選択される、遺伝子、
表１１に列挙された、８ｑでの染色体増加と付随する遺伝子のうち少なくとも１個、少なくとも２個、少なくとも５個、少なくとも１０個、又は全てであって、特に、１又は複数のマーカー遺伝子が、ＮＭ＿１３８４５５、ＮＭ＿０３２６１１、ＮＭ＿０３２８６２からなる群から選択される、遺伝子、
表１２に列挙された、１３ｑでの染色体増加と付随する遺伝子のうち少なくとも１個、少なくとも２個、少なくとも５個、少なくとも１０個、又は全てであって、特に、ＮＭ＿１４５２９３及び／又はＮＭ＿００５３５８であり、特に、１又は複数の遺伝子が、Ｕ５０５３１、ＮＭ＿０１２１５８、ＮＭ＿０１７８１７、ＮＭ＿００３８９９、ＮＭ＿００３９０３、ＮＭ＿０１８３８６、ＢＣ００８９７５、及び、ＮＭ＿０２３０１１からなる群から選択される、遺伝子、
表１３に列挙された、１５ｑでの染色体消失と付随する遺伝子のうち少なくとも１個、少なくとも２個、少なくとも５個、少なくとも１０個、又は全てであって、特に、ＮＭ０３０５７４であるか、又は、ＮＭ＿００４２５５、ＮＭ＿００２５７３、及びＡＢ０３３０２５から選択される遺伝子のうち１又は複数の遺伝子、
表１４に列挙された、１７ｐでの染色体消失と付随する遺伝子のうち少なくとも１個、少なくとも２個、少なくとも５個、少なくとも１０個、又は全てであって、特に、ＮＭ＿１３０７６６、ＮＭ＿０１５７２１、及びＮＭ＿０３１４３０からなる群から選択される１又は複数の遺伝子、
表１５に列挙された、１８ｑでの染色体消失と付随する遺伝子のうち少なくとも１個、少なくとも２個、少なくとも５個、少なくとも１０個、又は全てであって、特に、ＮＭ＿００４７１５、ＮＭ＿００６７０１、及びＮＭ＿０１４９１３からなる群から選択される１又は複数のマーカー遺伝子、並びに、
表１６に列挙された、２０ｑでの染色体増加と付随する遺伝子のうち少なくとも１個、少なくとも２個、少なくとも５個、少なくとも１０個、少なくとも２５個、少なくとも５０個、少なくとも１００個、又は全てであって、特に、ＮＭ＿０１６３９７、ＮＭ＿０１８２７０、及びＮＭ＿００６６０２から選択される１又は複数のマーカー遺伝子であり、他の特定のマーカー遺伝子がＮＭ＿０８０４７６及びＮＭ＿０１７８９６のうちの１つ又は両方であり、他の特定のマーカー遺伝子が、ＮＭ＿００６０９７、ＮＭ＿０２１８０９、ＮＭ＿０１８８４０、ＮＭ＿００３６００、ＮＭ＿０１７４９５、ＮＭ＿００７００２、及び、ＮＭ＿０１６３５４からなる群から選択される１又は複数の遺伝子であり、他の特定のマーカー遺伝子が、ＮＭ＿０１４０７１、ＮＭ＿００２２１２、ＮＭ＿００３１８５、ＮＭ＿１５２２５５、及び、ＮＭ＿０２２０８２からなる群から選択される１又は複数の遺伝子であり、さらに他の特定のマーカー遺伝子が、ＮＭ＿０１８２４４、ＮＭ＿０１４９０２、ＮＭ＿０３２０１３、ＮＭ＿０２０１８２、ＮＭ＿００６８８６、ＮＭ＿０２０６７３、及びＢＣ００３１２２からなる群から選択される１又は複数の遺伝子である、遺伝子
を含む。
【００８１】
さらに、又は、あるいは、本発明の方法に使用される１又は複数のマーカー遺伝子は、腺腫細胞と比較して結腸直腸腺癌細胞において発現レベルが増加するマーカー遺伝子に対応する上記の遺伝子のサブセットから選択される。
【００８２】
一般に、上記のマーカー遺伝子は、患者における結腸直腸腺癌細胞の存在を検出するためのｉｎ  ｖｉｔｒｏでの方法に使用され、当該方法は、上記の組及びサブセットにおいて規定された１又は複数のマーカー遺伝子の発現レベルを前記患者の検査試料において検出するステップ、使用された１又は複数のマーカー遺伝子の発現レベルを対照試料（例えば、結腸直腸腺腫細胞）の発現レベルに比較するステップを含む。対照試料に比較された検査試料における前記使用された１又は複数のマーカー遺伝子の増加又は減少した発現レベルは、患者における結腸直腸腺癌細胞の存在を示している。
【００８３】
本発明のマーカー遺伝子は、ＤＮＡ、ＲＮＡ、又は蛋白質ベースの発現分析に使用される。本発明のマーカー遺伝子の重要な利点は、それらが、客観的定量的診断において使用するのに適しているということである。従来技術において同定されたマーカーに基づく方法は、それらが、癌腫細胞を含んだ少数の組織学的試料の検査に依存したため限定されていた。
【００８４】
特定の実施形態において、前記マーカー遺伝子は、ＤＮＡ又はＲＮＡ―ベースの診断に特有の上げられた感度という利点を提供するＤＮＡ又はＲＮＡベースの発現分析において有用である。本発明の方法及びマーカー遺伝子は、発癌プロセスのうち非常に初期に結腸直腸腺腫細胞を癌種細胞から区別することを可能にする。
【００８５】
患者の試料におけるマーカー遺伝子の発現レベルの決定は、当技術分野において既知のいかなる手段によっても成し遂げることができる。例えば、種々のマーカー遺伝子の発現レベルは、アガロースゲル又はポリアクリルアミドゲルにおいて試料から得られる核酸分子（例えばＲＮＡ又はｃＤＮＡ）の分離、続くマーカー遺伝子特異的オリゴヌクレオチドプローブとのハイブリッド形成法によって評価することができる。あるいは、発現レベルの差は、試料から得られた核酸のラベリング、続く配列決定ゲル上での分離によって決定することができる。核酸試料は、患者及び対照又は標準の核酸が隣接したレーンにあるようにゲル上に配置される。発現レベルの比較は、視覚によって、又は、濃度計によって実現される。
【００８６】
特定の実施形態において、アッセイに使用される全てのマーカー遺伝子の発現は、ＤＮＡアレイ（「マイクロアレイ」又は「ＤＮＡチップ」とも呼ばれる）へのハイブリッド形成によって同時に評価される。マイクロアレイベースの発現プロファイリングは、例えば、“Ｍｉｃｒｏａｒｒａｙ  Ｂｉｏｃｈｉｐ  Ｔｅｃｈｎｏｌｏｇｙ”（Ｓｃｈｅｎａ  Ｍ．，Ｅａｔｏｎ  Ｐｕｂｌｉｓｈｉｎｇ，２０００）に開示された方法によって実行することができる。ＤＮＡアレイは、固定化された高密度のプローブを含み、多くの遺伝子を検出する。アレイ上のプローブは、マーカー遺伝子の配列のうち１又は複数の部分、又は、マーカー遺伝子の翻訳領域全体に相補的である。本発明では、いかなる種類のポリヌクレオチドも、ＤＮＡアレイのためのプローブとして使用することができる。一般的に、ｃＤＮＡ、ＰＣＲ産物、及びオリゴヌクレオチドがプローブとして有用である。このように、複数の遺伝子の発現レベルを、１ラウンド分析によって同時に見積もることができる。
【００８７】
ＤＮＡアレイベースの検出方法は、一般的に、以下の、
（１）試料からｍＲＮＡを単離し、任意選択で、前記ｍＲＮＡをｃＤＮＡに変換して、後に、このＲＮＡ又はｃＤＮＡをラベルするステップであって、ＲＮＡを単離する、前記ＲＮＡをｃＤＮＡに変換する、及び、核酸をラベルする方法は、マイクロアレイ技術のマニュアルに記載されている、ステップ、
（２）ステップ（１）由来の核酸をマーカー遺伝子用のプローブとハイブリッド形成させるステップであって、試料由来の前記核酸は、蛍光染料Ｃｙ３（赤）又はＣｙ５（青）等の染料でラベルすることができ、一般的に、対照試料は異なる染料でラベルされる、ステップ、
（３）前記試料由来の核酸のプローブとのハイブリッド形成を検出し、少なくとも定性的に、特に定量的に、調査される異なるマーカー遺伝子に対して試料内のｍＲＮＡの量を決定するステップであって、試料と対照との発現レベルの差は、信号強度の差に基づき見積もることができ、これらは、それに限定されないが、例えばＡｆｆｙｍｅｔｒｉｘによって提供されるソフトウェア等の適切なソフトウェアによって測定及び分析することができる、ステップを含む。
【００８８】
特定の実施形態において、アレイ上のプロ―ブは、例えば、特定の種類の染色体異常に関連づけられたマーカー遺伝子に従って配置することができる。あるいは、それぞれが特定の種類の染色体異常を検出するプローブを保有する種々のアレイを開発することができる。
【００８９】
ＤＮＡアレイ上にスポットされる、マーカー遺伝子に対応するプローブの数に制限はない。例えば、１％以上、５％以上、２０％以上、５０％以上、７０％以上のいかなる本発明のマーカー遺伝子の組も選択することができる。さらに、マーカー遺伝子は、遺伝子のうち異なる部分とハイブリッドを形成する２個以上のプローブによって表すことができる。プローブは、選択されたマーカー遺伝子それぞれに対して設計される。そのようなプローブは、一般的に、５〜５０ヌクレオチド残基を含んだオリゴヌクレオチドである。より長いＤＮＡを、ＰＣＲによって、又は、化学的に合成することができる。そのようなオリゴヌクレオチドを合成し、基板上に適用する方法は、マイクロ−アレイの分野において周知である。
【００９０】
マーカー遺伝子以外の遺伝子もＤＮＡアレイ上にスポットすることができる。例えば、発現レベルが有意に変化しない遺伝子に対するプローブをＤＮＡアレイ上にスポットし、アッセイ結果を規準化するか、又は、マルチアレイ又は異なるアッセイのアッセイ結果を比較することができる。
【００９１】
本発明の方法における特定の実施形態において、特定のマーカー遺伝子の発現レベルは、それぞれのマーカー遺伝子によって発現した蛋白質の量を決定することによって評価される。蛋白質レベルの分析に対して、一部の蛋白質は、限られた溶解性、非常に大きい又は小さい分子量、又は、極端な等電点等の要因のためにより適していない場合があるけれども、本発明において記述されている全てのマーカー遺伝子を原則的に使用することができる。
【００９２】
蛋白質レベルでのマーカー遺伝子の発現レベルの決定は、例えば、ポリアクリルアミドゲル上での試料からの蛋白質の分離、続く、ウエスタンブロットにおいて抗体を使用した特異的なマーカー遺伝子由来の蛋白質の同定によって実現することができる。あるいは、２次元ゲル電気泳動システムによって蛋白質を分離することができる。２次元ゲル電気泳動は当技術分野において周知であり、一般的に、１次元目に等電点電気泳動を含み、続いて、２次元目にＳＤＳ−ＰＡＧＥ電気泳動を含む。２Ｄ  ＳＤＳ−ＰＡＧＥゲルの分析は、ゲル上にできる蛋白質のスポットの強度を決定することによって行うことができるか、又は、免疫検出を使用して行うことができる。他の実施形態では、蛋白質の試料は質量分析によって分析される。
【００９３】
ｉｎ  ｖｉｔｒｏでのアッセイに使用される試料は、一般的に、結腸直腸の生検組織又は切除組織であり、特に、腺腫様ポリープの生検組織又は切除組織である。ｉｎ  ｖｉｔｒｏでの蛋白質発現分析に対して、生検又は切除による細胞若しくは細胞可溶化物を使用することができる。従って、細胞における蛋白質の局在化又は分析されることになる蛋白質の機能は、分析に対して重要なものではない。患者における腺癌細胞の存在は、増加又は減少したレベルの腺癌細胞によって分泌される特定の蛋白質の存在によって反映されると予測される。そのような蛋白質は、血液、尿、汗、及び、体の他の部分において存在し得る。同様に、腺癌細胞は、結腸内腔に蛋白質を放出する。さらに、無傷の腺癌細胞又はその溶解した内容物は腸管に放出されて排泄物内に存在し、それをｉｎ  ｖｉｔｒｏでの蛋白質分析の供給源として使用することができる。しかし、核酸とは逆に、蛋白質は増幅することができない。従って、特定の実施形態において、本発明の方法は、濃縮ステップ、特に、腺癌物質の濃縮を含むと考察される。例えば、磁性粒子で機能化した、腺腫及び腺癌細胞の細胞膜又は細胞小器官に特異的なリガンドと試料を接触させることができる。磁性粒子によって濃縮された物質を、次に、マーカー蛋白質の検出の目的で分析することができる。
【００９４】
本発明の別の態様において、本発明のマーカー遺伝子は、ｉｎ  ｖｉｖｏでの分析における結腸直腸腺腫及び腺癌のディファレンシャル検出に使用される。本発明は、従って、結腸直腸の腺腫組織における腺癌細胞を検出するためのｉｎ  ｖｉｖｏでの方法を提供し、当該方法は：
マーカー遺伝子によって発現した蛋白質と特異的に結合するか又は相互作用する能力があるラベルされた薬剤を結腸直腸の病変部と接触させるステップ；
前記病変部内の細胞との前記ラベルされた薬剤の結合又は相互作用を検出するステップ；
を含み、
それによって、ラベルされた薬剤の結合又は相互作用における差によって特徴づけられる、病変部内の遺伝子座の検出は、結腸直腸腺腫における腺癌細胞の存在を示している。
【００９５】
本発明は、結腸直腸癌腫に対するマーカーとしてこれまで同定されていない、本発明のｉｎ  ｖｉｖｏでの方法に使用することができる（表１７に示された）一組のマーカーを提供する。これらのマーカーのうちどれも、本発明のｉｎ  ｖｉｖｏでの診断方法に使用するのに適している。本発明の特定の実施形態は、結腸直腸の腺腫細胞と比較して腺癌細胞において発現レベルが増加されるマーカー遺伝子に一致する一組の１又は複数のマーカー遺伝子を提供し、それらは表１７のサブセットから選択される。
【００９６】
本発明の方法における特定の実施形態において、一組のマーカー遺伝子が検出の信頼度を上げるよう分析される。特に、特定の実施形態によると、一組の薬剤が使用され、それによって、各薬剤は、結腸直腸腺癌に結びつけられる異なる種類の染色体異常に関連したマーカーを検出する。
【００９７】
このように、一実施形態によると、一組のマーカー遺伝子がｉｎ  ｖｉｖｏでの癌腫細胞の存在の同定に使用され、前記一組のマーカー遺伝子は、染色体異常のそれぞれを示すマーカー遺伝子を含む。特に、そのような一組のマーカー遺伝子は：
表２から選択される１又は複数の遺伝子（８ｐ消失に関連づけられるマーカー遺伝子）、
表３から選択される１又は複数の遺伝子（８ｑ消失に関連づけられるマーカー遺伝子）、
表４から選択される１又は複数の遺伝子（１３ｑ増加に関連づけられるマーカー遺伝子）、
表５から選択される１又は複数の遺伝子（１５ｑ消失に関連づけられるマーカー遺伝子）、
表６から選択される１又は複数の遺伝子（１７ｐ消失に関連するマーカー遺伝子）、
表７から選択される１又は複数の遺伝子（１８ｑ消失に関連づけられるマーカー遺伝子）、及び、
表８又は９から選択される１又は複数の遺伝子（２０ｑ増加に関連するマーカー遺伝子）、
を含む。
【００９８】
さらに、又は、あるいは、本発明のｉｎ  ｖｉｖｏでの方法における使用に対して、結腸直腸の腺腫細胞と比較して腺癌細胞において発現レベルが増加されるマーカー遺伝子に一致するマーカー遺伝子の組が提供され、それらは上記のマーカー遺伝子の組から選択される。
【００９９】
本発明のｉｎ  ｖｉｖｏでの診断方法における他の実施形態において、染色体異常のそれぞれを示すマーカー遺伝子の組は、増加又は消失される染色体領域自体の内部に位置する遺伝子を含む。従って、マーカー遺伝子の組は：
表１０に列挙されたマーカー遺伝子から選択される１又は複数の遺伝子であって、特に、ＮＭ＿０２０７４９及びＮＭ＿００４３１５からなる群から選択される、及び／又は、ＮＭ＿００３７４７、ＮＭ＿０１６３５３、ＮＭ＿１５２４１５、ＮＭ＿００６１９７、ＮＭ＿０００６６２、ＮＭ＿００００１５、及びＤ３１８８７からなる群から選択される１又は複数のマーカー遺伝子、
表１１に列挙されたマーカー遺伝子から選択される１又は複数の遺伝子であって、特に、ＮＭ＿１３８４５５、ＮＭ＿０３２６１１、ＮＭ＿０３２８６２からなる群から選択される１又は複数の遺伝子、
表１２に列挙されたマーカー遺伝子、特に、ＮＭ＿１４５２９３及び／又はＮＭ＿００５３５８から選択される１又は複数の遺伝子であって、特に、Ｕ５０５３１、ＮＭ＿０１２１５８、ＮＭ＿０１７８１７、ＮＭ＿００３８９９、ＮＭ＿００３９０３、ＮＭ＿０１８３８６、ＢＣ００８９７５、及びＮＭ＿０２３０１１からなる群から選択される１又は複数の遺伝子、
表１３に列挙されたマーカー遺伝子から選択される１又は複数の遺伝子であって、特に、ＮＭ＿０３０５７４、又は、ＮＭ＿００４２５５、ＮＭ＿００２５７３、及びＡＢ０３３０２５から選択される１又は複数の遺伝子、
表１４に列挙されたマーカー遺伝子から選択される１又は複数の遺伝子であって、特に、ＮＭ＿１３０７６６、ＮＭ＿０１５７２１、及びＮＭ＿０３１４３０からなる群から選択される１又は複数の遺伝子、
表１５に列挙されたマーカー遺伝子から選択される１又は複数の遺伝子であって、特に、ＮＭ＿００４７１５、ＮＭ＿００６７０１、及びＮＭ＿０１４９１３からなる群から選択される１又は複数のマーカー遺伝子、並びに、
表１６に列挙されたマーカー遺伝子から選択される１又は複数の遺伝子であって、特に、ＮＭ＿０１６３９７、ＮＭ＿０１８２７０、及びＮＭ＿００６６０２から選択される１又は複数のマーカー遺伝子を含む。他の特定のマーカー遺伝子は、ＮＭ＿０８０４７６及びＮＭ＿０１７８９６のうちの１つ又は両方である。他の特定のマーカー遺伝子は、ＮＭ＿００６０９７、ＮＭ＿０２１８０９、ＮＭ＿０１８８４０、ＮＭ＿００３６００、ＮＭ＿０１７４９５、ＮＭ＿００７００２、及びＮＭ＿０１６３５４からなる群から選択される１又は複数の遺伝子である。他の特定のマーカー遺伝子は、ＮＭ＿０１４０７１、ＮＭ＿００２２１２、ＮＭ＿００３１８５、ＮＭ＿１５２２５５、及びＮＭ＿０２２０８２からなる群から選択される１又は複数の遺伝子である。さらに他の特定のマーカー遺伝子は、ＮＭ＿０１８２４４、ＮＭ＿０１４９０２、ＮＭ＿０３２０１３、ＮＭ＿０２０１８２、ＮＭ＿００６８８６、ＮＭ＿０２０６７３、及びＢＣ００３１２２からなる群から選択される１又は複数の遺伝子である。
【０１００】
さらに、又は、あるいは、本発明のｉｎ  ｖｉｖｏでの方法における使用に対して、結腸直腸の腺腫細胞と比較して腺癌細胞において発現レベルが増加されるマーカー遺伝子に一致するマーカー遺伝子の組が提供され、それらは上記のマーカー遺伝子の組から選択される。
【０１０１】
本発明のデータの分析により、１つのマーカー遺伝子の変化した発現は異なる染色体異常によって生じ得ることが示されている。表１８は、３つ、４つ、さらには５つの異なる異常によって変化したマーカー遺伝子を示している。特定の実施形態によると、本発明のｉｎ  ｖｉｖｏでの方法は、表１８に列挙されたマーカー遺伝子から選択される１又は複数のマーカー遺伝子を使用して実行される。さらに、又は、あるいは、本発明のｉｎ  ｖｉｖｏでの方法は、結腸直腸の腺腫細胞と比較して腺癌細胞において発現レベルが増加されるマーカー遺伝子に一致する、表１８に列挙されたマーカー遺伝子から選択される１又は複数のマーカー遺伝子を使用して実行される。
【０１０２】
消化管は、患者における診断用化合物の投与に対して非常に利用しやすい。さらに、ラベルされた化合物の検出に対して結腸鏡検査を使用することができる。ｉｎ  ｖｉｖｏでの診断技術は、さらに、個々の生検組織を収集することなく異なるポリープの分析を可能にする。
【０１０３】
ｉｎ  ｖｉｖｏでの画像診断に特に適したマーカー遺伝子は、細胞表面に位置するか又は分泌される蛋白質をコード化するマーカー遺伝子である。あるいは、マーカー遺伝子によってコード化される蛋白質の検出は、細胞質又は細胞核に残る蛋白質を認識する。ペプチド／蛋白質に結合する抗体（例えば受容体リガンド又はその一部）によって、及び、適切であれば、代謝物、酵素基質、基質類似体、及び酵素阻害剤によって蛋白質を検出することができる。細胞の中に取り込まれる、例えば酵素基質若しくはその類似体、酵素阻害剤、又は、特定の代謝物等、細胞によって内部に取り入れられた化合物を使用して、細胞内に位置する多くの蛋白質を間接的に検出することができる。従って、腺腫細胞と比較した場合に、減少又は増加した、マーカー遺伝子によってコード化された蛋白質の発現若しくは活性を検出することによって、ｉｎ  ｖｉｖｏで腺癌細胞を同定することができる。
【０１０４】
ｉｎ  ｖｉｖｏでの蛋白質の検出に適することになる上記の化合物のうちどれも、発色団の薬剤、ＭＲＩラベル、超音波検出用ラベル、放射性化合物、又は、ｉｎ  ｖｉｖｏでの画像診断を促進する他のツールでさらに機能化することができる。
【０１０５】
本発明のさらに別の態様は、ｉｎ  ｖｉｖｏ及び／又はｉｎ  ｖｉｔｒｏでの本発明の検出方法を行うためのキットに関する。一般的に、本発明のキットは、本明細書に開示された１又は複数のマーカー遺伝子の特異的検出を可能にする薬剤を１又は複数有する。特定の実施形態において、当該キットは、本明細書に記述された一組のマーカー遺伝子の検出を可能にする薬剤を一組含む。前記薬剤の性質は、キットが意図される検出の方法によって決定される。ＤＮＡ／ＲＮＡの方法での検出が意図される場合、薬剤は、一般的に、任意選択でラベルされたマーカー特異的プライマー又はプローブである。検出が蛋白質レベルである場合、薬剤は、一般的に、抗体のうちの抗原−結合断片を含有する抗体又は化合物である。しかし、上記のように、（酵素の場合は）特異的な基質又は（受容体に対しては）リガンド等、関心のあるマーカーと特異的に相互作用する他の化合物を使用して、蛋白質発現を検出することもできる。
【０１０６】
特定の実施形態において、本発明のキットは、本発明の方法に従った対照試料も含む。
【０１０７】
本発明の特定の好ましい態様は、付随の独立及び従属請求項において設定されている。従属請求項由来の特徴は、必要に応じて、独立請求項の特徴及び他の従属請求項の特徴と組み合わせることができ、単に特許請求項において明白に設定されているものだけではない。
【０１０８】
本発明を具体化するシステム及び方法における他の取り決めは、当業者には明らかである。
【０１０９】
好ましい実施形態、特定の構造及び構成並びに材料が、本発明による装置に対して本明細書において論じられてきたけれども、本発明の範囲及び真意から逸脱することなく、形態及び詳細における種々の変更又は修正を行うことができるということを理解されたい。
【実施例１】
【０１１０】
マイクロアレイにおける異なって発現した遺伝子の決定。
【０１１１】
腫瘍試料の選択
７３個の急速凍結した結腸直腸腫瘍（３７個の進行していない腺腫及び３６個の癌腫）を、ＶＵ−Ｕｎｉｖｅｒｓｉｔｙ  Ｍｅｄｉｃａｌ  Ｃｅｎｔｅｒ（ＶＵｍｃ）Ａｍｓｔｅｒｄａｍ、Ｔｈｅ  Ｎｅｔｈｅｒｌａｎｄｓにて先を見越して収集した。施設の倫理にかなった規則に従って全ての試料を使用した。
【０１１２】
７３個の凍結した検体は、６５人の患者（女性３１人及び男性３４人）に相当した。これらの患者から、６人の患者が多数の腫瘍を有しており、そのうち、４人の患者が多数の腺腫、及び、２人の患者が癌腫の隣に１又は複数の腺腫を有していた。患者（４７〜８９歳）の平均年齢は６９歳であった。
【０１１３】
アレイ−ＣＧＨ及び発現マイクロアレイを凍結したセットの上で行った。
【０１１４】
ＲＮＡ単離
販売会社の指示に従いＴＲＩｚｏｌ試薬（Ｉｎｖｉｔｒｏｇｅｎ社、Ｂｒｅｄａ、ＮＬ）を用いて、急速凍結した組織からＲＮＡを単離した。ＲＮＡ及びＤＮＡの濃度も純度も、Ｎａｎｏｄｒｏｐ  ＮＤ−１０００分光光度計（Ｉｓｏｇｅｎ、ＩＪｓｓｅｌｓｔｅｉｎ、ＮＬ）において測定し、エチジウムブロマイドで染色して、１％アガロースゲルにおいて完全性を評価した。
【０１１５】
発現マイクロアレイ
（ａ）アレイプラットフォーム
Ｃｏｍｐｕｇｅｎ社（Ｓａｎ  Ｊｏｓｅ、ＣＡ、ＵＳＡ）によって設計された、２８８３０個の独特な遺伝子を表す６０塩基長のオリゴヌクレオチドを含有するＨｕｍａｎ  Ｒｅｌｅａｓｅ２．０オリゴヌクレオチドライブラリーを、Ｓｉｇｍａ−Ｇｅｎｏｓｙｓ社（Ｚｗｉｊｎｄｒｅｃｈｔ、Ｔｈｅ  Ｎｅｔｈｅｒｌａｎｄｓ）から入手した。そのオリゴヌクレオチドを、ｐＨ８．５の５０ｍＭリン酸ナトリウムバッファーにおいて１０ｍＭ濃度で溶解し、ＳＭＰ３ピン（ＴｅｌｅＣｈｅｍ  Ｉｎｔｅｒｎａｔｉｏｎａｌ社、Ｓｕｎｎｙｖａｌｅ、ＣＡ、ＵＳＡ）が装備されたＯｍｎｉＧｒｉｄ（登録商標）１００マイクロアレイヤー（Ｇｅｎｏｍｉｃ  Ｓｏｌｕｔｉｏｎｓ社、Ａｎｎ  Ａｒｂｏｒ、ＭＩ、ＵＳＡ）を使用して、Ｃｏｄｅｌｉｎｋ（商標）スライド（Ａｍｅｒｓｈａｍ  Ｂｉｏｓｃｉｅｎｃｅｓ社、Ｒｏｏｓｅｎｄａａｌ、ＮＬ）上に１滴スポットした。印刷後、製造者のプロトコールに従いスライドを処理した（Ｃｏｄｅｌｉｎｋ（商標）スライド；Ａｍｅｒｓｈａｍ  Ｂｉｏｓｃｉｅｎｃｅｓ社、Ｒｏｏｓｅｎｄａａｌ、ＮＬ）。
（ｂ）ラベリング及びハイブリダイゼーション
第一に、オリゴｄｔプライミング法（Ｉｓｏｇｅｎ、ＩＪｓｓｅｌｓｔｅｉｎ、ＮＬ）でＳｕｐｅｒＳｃｒｉｐｔ（商標）ＩＩ  Ｒｅｖｅｒｓｅ  ｔｒａｎｓｃｒｉｐｔａｓｅ（Ｉｎｖｉｔｒｏｇｅｎ社、Ｂｒｅｄａ、ＮＬ）を使用して、３０μｇのメッセンジャーＲＮＡをｃＤＮＡに逆転写した。制限された量のＲＮＡを有する試料において、より少ない量だが少なくとも１５μｇの試料を出発物質として使用した。ｃＤＮＡをＦｌｕｏｒｏｌｉｎｋ  Ｃｙ３及びＣｙ５  Ｍｏｎｏｆｕｎｃｔｉｏｎａｌ  Ｄｙｅ  ５−ｐａｃｋ（Ａｍｅｒｓｈａｍ  Ｂｉｏｓｃｉｅｎｃｅｓ社、Ｒｏｏｓｅｎｄａａｌ、ＮＬ）に結合させた。Ｃｙ３でラベルされた腫瘍ｃＤＮＡ及びＣｙ５でラベルされた参照ｃＤＮＡを組み合わせて、０．１倍量の３Ｍ酢酸ナトリウム（ｐＨ５．２）及び２．５倍量の氷冷１００％エタノールを添加することによって、１２μｇのｐｄ（Ａ）４０−６０（Ａｍｅｒｓｈａｍ  Ｂｉｏｓｃｉｅｎｃｅｓ社、Ｒｏｏｓｅｎｄａａｌ、ＮＬ）、６０μｇのｔＲＮＡ（Ｓｉｇｍａ−Ａｌｄｒｉｃｈ社、Ｚｗｉｊｎｄｒｅｃｈｔ、ＮＬ）、及び、２４μｇのヒトＣｏｔ−１ＤＮＡ（Ｉｎｖｉｔｒｏｇｅｎ社、Ｂｒｅｄａ、ＮＬ）と共沈殿させた。４℃で１０分間、１４，０００ｒｐｍで遠心分離することによって、沈殿物を収集した。風乾後、最終濃度５０％のホルムアミド、２×ＳＣＣ、１０％の硫酸デキストラン、及び４％のＳＤＳを有した１２６．７μｌのハイブリダイゼーション混合液においてペレットを溶解した。７３℃で１０分間ｃＤＮＡ試料を変性し、続いて、３７℃で６０分間インキュベーションして、Ｃｏｔ−１ＤＮＡが反復配列をブロックするのを可能にした。ハイブリダイゼーションステーション（ＨｙｂＡｒｒａｙ１２（商標）Ｐｅｒｋｉｎ  Ｅｌｍｅｒ  Ｌｉｆｅ  Ｓｃｉｅｎｃｅｓ社、Ｚａｖｅｎｔｅｍ、ＢＥ）に変性及びブロックされたハイブリダイゼーション混合液を有したアレイを３７℃で１４時間インキュベートした。ハイブリダイゼーション後、５０％のホルムアミド、２×ＳＣＣ、ｐＨ７を有した溶液において、４５℃にて３分間スライドを洗浄し、続いて、ＰＮバッファー（ＰＮ：０．１Ｍリン酸ナトリウム、０．１％ノニデットＰ４０、ｐＨ８）、０．２×ＳＳＣ、０．１×ＳＣＣ、及び、０．０１×ＳＣＣを用いて、室温にて１分間の洗浄ステップを行った。室温にて３分間、１０００ｒｐｍで遠心分離することによってスライドを乾かした。
（ｃ）画像獲得、特徴抽出、及び、正規化
アレイの画像をスキャニング（Ａｇｉｌｅｎｔ  ＤＮＡ  Ｍｉｃｒｏａｒｒａｙ  ｓｃａｎｎｅｒ、Ａｇｉｌｅｎｔ  ｔｅｃｈｎｏｌｏｇｉｅｓ社、Ｐａｌｏ  Ａｌｔｏ、ＵＳＡ）によって取得し、自動特徴抽出（２つのチャネルＣｙ３及びＣｙ５に対するスポットの区分、並びに、各スポットに対する信号及びバックグラウンド強度の定量化）に対してＩｍａｇｅｎｅ  ５．６  ｓｏｆｔｗａｒｅ（Ｂｉｏｄｉｓｃｏｖｅｒｙ  Ｌｔｄ社、Ｍａｒｉｎａ  ｄｅｌ  Ｒｅｙ、Ｃａｌｉｆｏｒｎｉａ）を使用した。低品質のスポットにおけるフラッギング用デフォルト設定を使用した。マイクロソフトＥｘｃｅｌシートを使用して、検査ｃＤＮＡ及び参照ｃＤＮＡ両方の信号の中央値の強度から局所的なバックグラウンドを引いた。未加工データの強度のＭＡプロットを行い、全体の品質を評価して、低品質の実験を軽視した。「レス（ｌｏｅｓｓ）」訂正を使用したＴＩＧＲ  Ｍｉｄａｓ、又は、「Ｍｅｄｉａｎ」ｎｏｒｍａｌｉｚａｔｉｏｎで正規化を行い、ｍａＮｏｒｍ  ｆｕｎｃｔｉｏｎ（ｍａｒｒａｙ  Ｒ  ｂｉｏｃｏｎｄｕｃｔｏｒ  ｐａｃｋａｇｅ）において実行して、同じ結果を得た。クラスタ化の目的のためにアレイ間の正規化も行った。低強度の値を５０という強度値と取り替えた。全腫瘍において２０％を超える欠測値を有した遺伝子をさらなる分析から除外した。
【０１１６】
データ分析
ソフトウェアＴＩＧＲ  ｍｕｌｔｉｅｘｐｅｒｉｍｅｎｔ  ｖｉｅｗｅｒ（ＴＭｅｖ）を使用して、教師なしクラスタ分析を行った。完全連鎖及びユークリッド距離を適用した。
【０１１７】
全てのハイブリダイゼーションを共通の参照に対して行ったため、全比較が、異なる結腸直腸腫瘍形成のグループ間で相関し、正常の結腸直腸粘膜と比較した際の考慮に入れられるような差はなかった。Ｗｉｌｃｏｘｏｎランキングテスト、及び、部分母集団を考慮に入れる新たな方法を使用して、癌腫と腺腫との発現の比較に対する教師ありの分析を行った。
【０１１８】
結果
腺腫と癌腫の間で異なって発現することになるマイクロアレイによって同定した遺伝子が表１に提供されている。
【実施例２】
【０１１９】
発現データの統合及びＣＧＨ分析。
【０１２０】
結腸直腸腺腫から癌腫への進行における遺伝子発現に対する染色体不安定性の影響を調査するために、全ゲノムのコピー数の変化を、アレイ−ＣＧＨによって、一連の１１４個の結腸直腸腫瘍（３７個の進行していない腺腫、４１個の進行した腺腫（悪性のポリープ）、及び３６個の癌腫）において分析した。
【０１２１】
本発明において開示されているＳＲＯｓの決定が、２０ｑでの染色体増加の領域に対して本明細書において詳細に例示されている。４１個の進行した腺腫においては、ＤＮＡコピー数の変化に対して腺腫及び癌腫の成分を分析した。１ｐ、４、８ｐ、１４ｑ、１５ｑ、１７ｐ、及び１８の消失、並びに、１ｑ、６ｐ、７、８ｑ、１３ｑ、１７ｑ、１９ｐ、２０ｑ、及び２２ｑの増加を＞２０％のケースにおいて観察し、中でも、８ｐ及び１８の消失並びに１３ｑ及び２０ｑの増加は最も頻繁に生じ、３５％を超えるケースにおいて発生した。染色体２０の増加だけでは、６０％を超えるケースにおいて発生した。より少ない頻度又は豊富さではあるけれども、ゲノム全体での、コピー数の変化のパターンは進行した腺腫における腺腫と癌腫の成分の間では相違せず、すなわち、癌腫の成分に発見された異常は既に腺腫の成分に存在していた。
【０１２２】
次に、３７個の進行していない腺腫及び３６個の癌腫のコピー数の変化を分析した。７３個の腫瘍から、６７個（３４個の腺腫及び３３個の癌腫）が高品質のゲノムプロファイルを示し（８％のドロップアウトに一致し）た。腺腫においては、異常の頻度が非常に低いことが明らかであった。それとは対照的に、癌腫は、（進行した腺腫と同様に）頻繁な（＞２０％のケースで）１ｐ、４、８ｐ、１４ｑ、１５ｑ、１７ｐ、及び１８の消失、並びに、１ｑ、６ｐ、７、８ｑ、１３ｑ、１７ｑ、１９ｐ、２０ｑ、及び、２２ｑの増加を示し、８ｐ及び１８の欠失、並びに、１３ｑ及び２０ｑの増加が３５％を超えるケースにおいて存在した。染色体２０の増加は、１５％未満の腺腫で生じたが、６０％を超える癌腫で生じ、進行した腺腫と同様に、ほとんどの場合染色体全体又は長腕に影響を及ぼした。
【０１２３】
ＤＮＡコピー数のプロファイルに対するこれら６７個の腫瘍（進行していない腺腫及び癌腫）の階層的クラスタ法は、ｘ２テストがｐ＜０．００１で、２つの異なるクラスタ、それぞれクラスタ１及び２への癌腫及び腺腫の明確な分離を示した。進行していない腺腫と癌腫との間で有意に異なる（ｐ＜０．０５）それらＤＮＡコピー数の変化に対する調査において、４ｑ、８ｐ、８ｑ、１３ｑ、１５ｑ、１８及び２０が関連性のある領域で、２０ｑ上のその遺伝子座が最も有意に異なった（ｐ＜０．００００１）と観察した。
【０１２４】
結腸直腸癌の進行において役割を持つ推測上の癌遺伝子をかくまう最も関連性のある領域を決定するために、パラフィンが埋め込まれた悪性のポリープ（ｎ＝４１）と冷凍した癌腫（ｎ＝３３）の組み合わされたセットに対してＳＴＡＣを適用した。２０ｑに対して、これらの試料の分析により、異常なコピー増加の３つの関連する領域が明らかになり、１つが全長４Ｍｂ（３２〜３６Ｍｂ）、１つが全長３Ｍｂ（５６〜５９Ｍｂ）、さらに、３つ目が全長２Ｍｂ（６１〜６４Ｍｂ）であった。これら３つの領域（最も小さい重複の領域−ＳＲＯｓ）は、依然として、８０、３５、及び９４個の遺伝子をそれぞれ含有していた。腺癌に結びつけられる他の領域の染色体異常に対して類似の分析を行い、ＳＲＯｓはこれらの領域のそれぞれを同定した。
【０１２５】
急速凍結材料が入手可能であった３７個の進行していない腺腫及び３６個の癌腫においてマイクロアレイ発現分析を行った。６８のケースにおいて高品質の発現データを得た（３７個の腺腫及び３１個の癌腫、７％のドロップアウト）。
【０１２６】
アレイＣＧＨのデータをマイクロアレイ発現データに、ゲノム全体で、腺腫又は癌腫の状態を個々に関連づけた。特定の染色体異常を有した腫瘍とそのような異常のない腫瘍において発現を比較するため、その染色体異常の影響を受けた遺伝子発現を開示するために、統計学上のアルゴリズム（Ｒ環境）を開発した（ｄｅ  Ｗｉｅｌ、未発表のデータ）。
【０１２７】
染色体異常の領域ごとに、遺伝子量が発現レベルに影響を及ぼす遺伝子のリストを得た（表２〜９）。染色体異常の領域内に位置し、関連する染色体異常を有した結腸直腸の腺腫細胞と腺癌細胞との間に異なる発現を示す遺伝子を同定した（表１０〜１６）。
【０１２８】
この処理は、この後２０ｑでの染色体増加の領域に対してより詳しく記載される。管理された発現データの分析を、２つの異なる方法で、２０ｑ上の推測上の癌遺伝子を同定するという目的で行った。第一に、遺伝子の発現差異を癌腫と腺腫との間で調査し（表１）、第二に、２０ｑ増加を有した腫瘍における発現遺伝子を２０ｑ増加のない腫瘍と比較して（表８）、どの遺伝子においてその発現レベルが２０ｑ増加の発生による影響を受けたかを決定した。第一の方法により、腺腫と比較した場合に癌腫において、ゲノム全体で１２２個の発現上昇した遺伝子及び２１９個の発現低下した遺伝子が明らかになった（ウィルコクソン検定ｐ値＜１ｅ−５又はＴｈａｓスコア＞１０．４７）。１２２個の発現上昇した遺伝子のうち、１４個が染色体２０ｑに位置した。第二の方法に対して、アレイＣＧＨデータも発現データも入手可能である腫瘍（腺腫及び癌腫）のみを使用した（ｎ＝６４）。事前選択として、第一の方法で得た、癌腫と腺腫との間で発現の値が異なって発現した遺伝子（カットオフｐ値＜０．０５）を（発現上昇した遺伝子も発現低下した遺伝子も）使用し、腺腫から癌腫への進行に関与する２０ｑ上の遺伝子に焦点を集めた。この分析を用いて、ゲノムを通して、その発現レベルが２０ｑ増加の発生による１２７個の遺伝子を同定した。前記２つの方法に共通する、すなわち、この染色体腕の増加の結果として癌腫において発現上昇した２０ｑ上に位置する遺伝子を比較した場合に、９個の遺伝子、すなわち、ＴＰＸ２、ｃ２０ｏｒｆ２４、ＡＵＲＫＡ（ＳＴＫ６）、ＲＮＰＣ１、ＴＨ１Ｌ、ＡＤＲＭ１、Ｃ２０ｏｒｆ２０、ＴＣＦＬ５、及びＣ２０ｏｒｆ１１を発見した。
【０１２９】
結腸直腸腺癌に結びつけられる他の領域の染色体消失又は増加に対して、類似の分析を行った。
【０１３０】
【表１】
2010523968.tif 000002
2010523968.tif 000003
2010523968.tif 000004
2010523968.tif 000005
2010523968.tif 000006
2010523968.tif 000007
2010523968.tif 000008
2010523968.tif 000009
2010523968.tif 000010
2010523968.tif 000011
2010523968.tif 000012
2010523968.tif 000013
2010523968.tif 000014
2010523968.tif 000015
2010523968.tif 000016
2010523968.tif 000017
2010523968.tif 000018
2010523968.tif 000019
2010523968.tif 000020
2010523968.tif 000021
2010523968.tif 000022
2010523968.tif 000023
2010523968.tif 000024
2010523968.tif 000025
2010523968.tif 000026
2010523968.tif 000027
2010523968.tif 000028
2010523968.tif 000029
2010523968.tif 000030
2010523968.tif 000031
2010523968.tif 000032
2010523968.tif 000033
2010523968.tif 000034
2010523968.tif 000035
2010523968.tif 000036
2010523968.tif 000037
2010523968.tif 000038
2010523968.tif 000039
【０１３１】
【表２】
2010523968.tif 000040
2010523968.tif 000041
2010523968.tif 000042
2010523968.tif 000043
2010523968.tif 000044
2010523968.tif 000045
2010523968.tif 000046
2010523968.tif 000047
2010523968.tif 000048
2010523968.tif 000049
2010523968.tif 000050
2010523968.tif 000051
【０１３２】
【表３】
2010523968.tif 000052
2010523968.tif 000053
【０１３３】
【表４】
2010523968.tif 000054
2010523968.tif 000055
2010523968.tif 000056
2010523968.tif 000057
2010523968.tif 000058
2010523968.tif 000059
2010523968.tif 000060
【０１３４】
【表５】
2010523968.tif 000061
2010523968.tif 000062
2010523968.tif 000063
【０１３５】
【表６】
2010523968.tif 000064
【０１３６】
【表７】
2010523968.tif 000065
2010523968.tif 000066
2010523968.tif 000067
2010523968.tif 000068
2010523968.tif 000069
2010523968.tif 000070
2010523968.tif 000071
2010523968.tif 000072
2010523968.tif 000073
2010523968.tif 000074
2010523968.tif 000075
2010523968.tif 000076
2010523968.tif 000077
2010523968.tif 000078
【０１３７】
【表８】
2010523968.tif 000079
2010523968.tif 000080
2010523968.tif 000081
2010523968.tif 000082
2010523968.tif 000083
2010523968.tif 000084
2010523968.tif 000085
2010523968.tif 000086
2010523968.tif 000087
2010523968.tif 000088
2010523968.tif 000089
2010523968.tif 000090
2010523968.tif 000091
2010523968.tif 000092
2010523968.tif 000093
2010523968.tif 000094
2010523968.tif 000095
2010523968.tif 000096
2010523968.tif 000097
2010523968.tif 000098
2010523968.tif 000099
2010523968.tif 000100
2010523968.tif 000101
2010523968.tif 000102
2010523968.tif 000103
2010523968.tif 000104
2010523968.tif 000105
2010523968.tif 000106
2010523968.tif 000107
2010523968.tif 000108
2010523968.tif 000109
2010523968.tif 000110
2010523968.tif 000111
2010523968.tif 000112
2010523968.tif 000113
【０１３８】
【表９】
2010523968.tif 000114
2010523968.tif 000115
2010523968.tif 000116
2010523968.tif 000117
2010523968.tif 000118
2010523968.tif 000119
2010523968.tif 000120
【０１３９】
【表１０】
2010523968.tif 000121
【０１４０】
【表１１】
2010523968.tif 000122
【０１４１】
【表１２】
2010523968.tif 000123
【０１４２】
【表１３】
2010523968.tif 000124
【０１４３】
【表１４】
2010523968.tif 000125
【０１４４】
【表１５】
2010523968.tif 000126
【０１４５】
【表１６】
2010523968.tif 000127
2010523968.tif 000128
2010523968.tif 000129
【０１４６】
【表１７】
2010523968.tif 000130
2010523968.tif 000131
2010523968.tif 000132
2010523968.tif 000133
2010523968.tif 000134
2010523968.tif 000135
2010523968.tif 000136
2010523968.tif 000137
2010523968.tif 000138
2010523968.tif 000139
2010523968.tif 000140
2010523968.tif 000141
2010523968.tif 000142
2010523968.tif 000143
2010523968.tif 000144
2010523968.tif 000145
2010523968.tif 000146
2010523968.tif 000147
2010523968.tif 000148
2010523968.tif 000149
2010523968.tif 000150
2010523968.tif 000151
2010523968.tif 000152
2010523968.tif 000153
2010523968.tif 000154
2010523968.tif 000155
2010523968.tif 000156
2010523968.tif 000157
2010523968.tif 000158
2010523968.tif 000159
2010523968.tif 000160
2010523968.tif 000161
2010523968.tif 000162
2010523968.tif 000163
【０１４７】
【表１８】
2010523968.tif 000164
2010523968.tif 000165
2010523968.tif 000166
2010523968.tif 000167
2010523968.tif 000168
【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
患者における結腸直腸腺癌細胞の存在を検出するためのｉｎ  ｖｉｔｒｏでの方法であって、
（ａ）少なくとも、表８、９、又は１６に記載のマーカー遺伝子、ＮＭ＿０１７４９５及びＮＭ＿００６６０２の発現レベルを前記患者の検査試料において検出するステップ、並びに、
（ｂ）ステップ（ａ）で使用された前記マーカー遺伝子の発現レベルを対照試料の発現レベルに比較するステップを含み、
前記対照試料に比較された前記検査試料における前記少なくとも２つのマーカー遺伝子の増加した発現レベルは、前記患者における結腸直腸腺癌細胞の存在を示している、方法。
【請求項２】
（ａ）少なくとも、表８、９、又は１６に記載のマーカー遺伝子、ＮＭ＿０１７４９５、ＮＭ＿００６６０２、ＮＭ＿０１８８４０、ＮＭ＿００３６００、ＮＭ＿０１８２７０、ＮＭ＿００７００２、及び、ＮＭ＿０１６３９７の発現レベルを前記患者の検査試料において検出するステップ、並びに、
（ｂ）ステップ（ａ）で使用された前記マーカー遺伝子の発現レベルを対照試料の発現レベルに比較するステップを含み、
前記対照試料に比較された前記検査試料における前記少なくとも７つのマーカー遺伝子の増加した発現レベルは、前記患者における結腸直腸腺癌細胞の存在を示している、請求項１に記載の方法。
【請求項３】
前記検査試料が、結腸直腸腺腫組織の生検組織又は切除組織である、請求項１又は２に記載の方法。
【請求項４】
前記検査試料が、尿、血液、唾液、汗、及び便の試料からなる群から選択される、請求項４に記載の方法。
【請求項５】
前記対照試料が、結腸直腸腺腫細胞を含むが結腸直腸癌腫細胞を含まない、患者の同じ組織の試料である、請求項１乃至４のいずれか一項に記載の方法。
【請求項６】
前記発現レベルが、蛋白質レベルで決定される、請求項１乃至５のいずれか一項に記載の方法。
【請求項７】
前記発現レベルが、ＲＮＡレベルで決定される、請求項１乃至５のいずれか一項に記載の方法。
【請求項８】
前記マーカー遺伝子が、０．０５未満のｐ値又はＦＤＲ値を有する、請求項１乃至７のいずれか一項に記載の方法。
【請求項９】
前記マーカー遺伝子が、０．０１未満のｐ値又はＦＤＲ値を有する、請求項８に記載の方法。
【請求項１０】
前記マーカー遺伝子が、腺腫細胞と腺癌細胞との間に少なくとも「２」という発現レベルの差を有する、請求項１乃至９のいずれか一項に記載の方法。
【請求項１１】
前記マーカー遺伝子が、腺腫細胞と腺癌細胞との間に少なくとも「４」という発現レベルの差を有する、請求項１０に記載の方法。
【請求項１２】
結腸直腸腺癌への結腸直腸腺腫の進行を診断するための、請求項１乃至１１のいずれか一項に記載の方法の使用。
【請求項１３】
結腸直腸腺癌細胞の存在を検出するためのキットであって、少なくとも、請求項１乃至１１のいずれか一項に記載のマーカー遺伝子の発現レベルを特異的に検出するための薬剤を含むキット。
【請求項１４】
前記薬剤がオリゴヌクレオチド又は抗体である、請求項１３に記載のキット。
【請求項１５】
前記オリゴヌクレオチドが支持体上に配列される、請求項１４に記載のキット。
【請求項１６】
前記抗体が、分泌性蛋白質又は細胞表面上の蛋白質に結合する、請求項１４に記載のキット。
【請求項１７】
前記薬剤のうち１又は複数の薬剤が、放射性ラベル、磁気ラベル、ＭＲＩ造影ラベル、発色団ラベル、及び、超音波ラベルから選択されたラベルで機能化される、請求項１３乃至１６のいずれか一項に記載のキット。
【国際調査報告】
2010523968.tif 000169
2010523968.tif 000170
2010523968.tif 000171
2010523968.tif 000172